(57)【要約】  確立された通信セッションをもつワイヤレスクライアント端末において電力を節約するための新規の電力節約方式が提供される。接続モードにある間、クライアント端末は、アクセスポイントからデータチャネルを介して通信セッションのデータを受信し得る。データチャネル上での非アクティビティ期間中に、クライアント端末は、クライアント端末が制御チャネルを不連続的に監視し、データチャネルを監視しない低電力モードに切り替わり得る。アクセスポイントにはクライアント端末の動作モードが通知される。制御チャネル上でデータ再開インジケータが受信された場合、クライアント端末は、接続モードに切り替え復帰し、データチャネル上で追加のデータを受信することによって通信セッションを再開する。
2013544470.tif 000002
【特許請求の範囲】
【請求項１】
アクセスポイントとワイヤレス通信するためのワイヤレス通信インターフェースと、
前記ワイヤレス通信インターフェースに結合され、通信セッション中に前記ワイヤレス通信インターフェースを介してデータメッセージを受信するように適応された処理回路と
を備えるクライアント端末であって、前記ワイヤレス通信インターフェースは、
前記通信セッション中にデータチャネルを使用して接続モードで動作することであって、前記クライアント端末の前記動作モードが前記アクセスポイントに知られる、動作することと、
前記通信セッションがアクティブなままである間に、前記データチャネルにおける非アクティビティ期間の後に低電力モードに切り替わることと、
前記アクセスポイントからのデータ再開インジケータについて制御チャネルを監視することであって、前記データ再開インジケータが、前記通信セッションのデータの送信より前に前記アクセスポイントによって送られる、監視することと
を行うように構成された、クライアント端末。
【請求項２】
前記ワイヤレス通信インターフェースが、
前記データ再開インジケータを受信すると前記接続モードに切り替わることと、
前記アクセスポイントからの前記データ送信について前記データチャネルを監視することと
を行うようにさらに構成された、請求項１に記載のクライアント端末。
【請求項３】
前記ワイヤレス通信インターフェースが、
前記データチャネル上で前記アクセスポイントから前記データ送信を受信する
ようにさらに構成された、請求項２に記載のクライアント端末。
【請求項４】
前記ワイヤレス通信インターフェースが、
前記低電力モードで動作している間に前記制御チャネル上で前記データ送信を受信する
ようにさらに構成された、請求項１に記載のクライアント端末。
【請求項５】
前記通信セッションの前記データが、前記データ再開インジケータの前記受信からの固定時間オフセットにおいて受信される、請求項１に記載のクライアント端末。
【請求項６】
前記ワイヤレス通信インターフェースは、
応答して前記アクセスポイントにデータ再開インジケータ肯定応答を送ることであって、前記通信セッションの前記データが、前記データ再開インジケータ肯定応答の受信の後にのみ前記アクセスポイントによって送信される、送ること
を行うようにさらに構成された、請求項１に記載のクライアント端末。
【請求項７】
前記低電力モードにおいて、電力を節約するために、前記制御チャネルが不連続的に監視され、前記データチャネルが監視されない、請求項１に記載のクライアント端末。
【請求項８】
前記低電力モードにおいて、前記クライアント端末が、前記接続モードよりも少ない電力を消費する、請求項１に記載のクライアント端末。
【請求項９】
前記ワイヤレス通信インターフェースは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）エアインターフェース規格と互換性があり、前記接続モードが、無線リソース制御（ＲＲＣ）セル専用チャネル（ＣＥＬＬ＿ＤＣＨ）モードまたはセル順方向アクセスチャネル（ＣＥＬＬ＿ＦＡＣＨ）モードのうちの１つである、請求項１に記載のクライアント端末。
【請求項１０】
前記ワイヤレス通信インターフェースが発展型高速パケットアクセス（ＨＳＰＡ＋）を実装し、前記制御チャネルが高速共有制御チャネル（ＨＳ−ＳＣＣＨ）である、請求項９に記載のクライアント端末。
【請求項１１】
前記ワイヤレス通信インターフェースはＥｖｏｌｕｔｉｏｎ−Ｄａｔａ  Ｏｎｌｙ（ＥＶ−ＤＯ）エアインターフェース規格と互換性があり、前記接続モードがアクティブモードである、請求項１に記載のクライアント端末。
【請求項１２】
前記制御チャネルは、前記クライアント端末がいくつかの制御チャネルスロットのみを監視することを可能にする準同期制御チャネルである、請求項１１に記載のクライアント端末。
【請求項１３】
前記ワイヤレス通信インターフェースは、前記非アクティビティ期間がしきい値時間量を超えたと判断し、独立して前記低電力モードに切り替わる、請求項１に記載のクライアント端末。
【請求項１４】
前記ワイヤレス通信インターフェースは、
前記クライアント端末が前記低電力モードに切り替わっていることを示すメッセージを前記アクセスポイントに送る
ようにさらに構成された、請求項１に記載のクライアント端末。
【請求項１５】
前記ワイヤレス通信インターフェースが、
前記クライアント端末を前記低電力モードに切り替わらせるメッセージを前記アクセスポイントから受信する
ようにさらに構成された、請求項１に記載のクライアント端末。
【請求項１６】
プロキシデバイスと通信するための２次通信インターフェース
をさらに備え、
前記処理回路が前記２次通信インターフェースに結合され、
前記クライアント端末のために１つまたは複数の制御チャネルを監視するようにとのプロキシ要求を前記プロキシデバイスに送ることと、
前記ワイヤレス通信インターフェースを電源切断することと、
前記プロキシデバイスからのデータ再開インジケータについて前記２次通信インターフェース上で第２の制御チャネルを監視することと
を行うように構成された、
請求項１に記載のクライアント端末。
【請求項１７】
前記２次通信インターフェースが、前記ワイヤレス通信インターフェースに対する低電力インターフェースである、請求項１６に記載のクライアント端末。
【請求項１８】
前記プロキシデバイスからの前記データ再開インジケータが、前記アクセスポイントによる前記ワイヤレス通信インターフェース上での前記通信セッションのデータの送信に先行する、請求項１６に記載のクライアント端末。
【請求項１９】
前記第２の制御チャネルが、前記２次通信インターフェースを介して前記クライアント端末によって連続的に監視される非同期制御チャネルである、請求項１６に記載のクライアント端末。
【請求項２０】
前記プロキシデバイスからデータ再開インジケータを受信すると、前記処理回路が、
前記ワイヤレス通信インターフェースを電源投入することと、
前記通信セッションのための予想されるデータ送信について前記ワイヤレス通信インターフェース上でトラフィックチャネルを監視することと
を行うように適応された、請求項１６に記載のクライアント端末。
【請求項２１】
クライアント端末上で動作可能な方法であって、
アクセスポイントとの通信セッションを確立することと、
前記通信セッション中にデータチャネルを使用して前記クライアント端末を接続モードで動作させることであって、前記クライアント端末の前記動作モードが前記アクセスポイントに知られる、動作させることと、
前記通信セッションがアクティブなままである間に、前記データチャネルにおける非アクティビティ期間の後に前記クライアント端末を低電力モードに切り替えることと、
前記アクセスポイントからのデータ再開インジケータについて制御チャネルを監視することであって、前記データ再開インジケータが、前記通信セッションのデータの送信より前に前記アクセスポイントによって送られる、監視することと
を備える方法。
【請求項２２】
前記データ再開インジケータを受信すると前記クライアント端末を前記接続モードに切り替えることと、
前記アクセスポイントからの前記データ送信について前記データチャネルを監視することと
をさらに備える、請求項２１に記載の方法。
【請求項２３】
前記データチャネル上で前記アクセスポイントから前記データ送信を受信すること
をさらに備える、請求項２２に記載の方法。
【請求項２４】
前記低電力モードで動作している間に前記制御チャネル上で前記データ送信を受信すること
をさらに備える、請求項２１に記載の方法。
【請求項２５】
前記低電力モードにおいて、電力を節約するために、前記制御チャネルが不連続的に監視され、前記データチャネルが監視されない、請求項１６に記載の方法。
【請求項２６】
前記クライアント端末のために１つまたは複数の制御チャネルを監視するようにとのプロキシ要求をプロキシデバイスに送ることと、
前記アクセスポイントとの前記通信セッションのために使用される１次通信インターフェースを電源切断することと、
前記プロキシデバイスからのデータ再開インジケータについて２次通信インターフェース上で前記プロキシデバイスを用いて第２の制御チャネルを監視することと
をさらに備える、請求項１６に記載の方法。
【請求項２７】
前記プロキシデバイスからの前記データ再開インジケータが、前記アクセスポイントによる前記１次通信インターフェース上での前記通信セッションのデータの送信に先行する、請求項２６に記載の方法。
【請求項２８】
前記プロキシデバイスからデータ再開インジケータを受信すると、前記方法が、
前記１次ワイヤレス通信インターフェースを電源投入することと、
前記通信セッションのための予想されるデータ送信について前記ワイヤレス通信インターフェース上でトラフィックチャネルを監視することと
をさらに備える、請求項２６に記載の方法。
【請求項２９】
クライアント端末であって、
アクセスポイントとの通信セッションを確立するための手段と、
前記通信セッション中にデータチャネルを使用して前記クライアント端末を接続モードで動作させるための手段であって、前記クライアント端末の前記動作モードが前記アクセスポイントに知られる、動作させるための手段と、
前記通信セッションがアクティブなままである間に、前記データチャネルにおける非アクティビティ期間の後に前記クライアント端末を低電力モードに切り替えるための手段と、
前記アクセスポイントからのデータ再開インジケータについて制御チャネルを監視するための手段であって、前記データ再開インジケータが、前記通信セッションのデータの送信より前に前記アクセスポイントによって送られる、監視するための手段と
を備えるクライアント端末。
【請求項３０】
前記データ再開インジケータを受信すると前記クライアント端末を前記接続モードに切り替えることと、
前記アクセスポイントからの前記データ送信について前記データチャネルを監視することと、
前記データチャネル上で前記アクセスポイントから前記データ送信を受信することと
をさらに備える、請求項２９に記載のクライアント端末。
【請求項３１】
前記低電力モードにおいて、電力を節約するために、前記制御チャネルが不連続的に監視され、前記データチャネルが監視されない、請求項２９に記載のクライアント端末。
【請求項３２】
クライアント端末において電力を節約するための、前記クライアント端末上で動作可能な１つまたは複数の命令を有するプロセッサ可読媒体であって、前記１つまたは複数の命令は、プロセッサによって実行されると、
アクセスポイントとの通信セッションを確立することと、
前記通信セッション中にデータチャネルを使用して前記クライアント端末を接続モードで動作させることであって、前記クライアント端末の前記動作モードが前記アクセスポイントに知られる、動作させることと、
前記通信セッションがアクティブなままである間に、前記データチャネルにおける非アクティビティ期間の後に前記クライアント端末を低電力モードに切り替えることと、
前記アクセスポイントからのデータ再開インジケータについて制御チャネルを監視することであって、前記データ再開インジケータが、前記通信セッションのデータの送信より前に前記アクセスポイントによって送られる、監視することと
を前記プロセッサに行わせる、プロセッサ可読媒体。
【請求項３３】
クライアント端末とワイヤレス通信するためのワイヤレス通信インターフェースと、
前記ワイヤレス通信インターフェースに結合され、通信セッション中に前記ワイヤレス通信インターフェースを介してデータチャネル上で前記クライアント端末にデータメッセージを送るように適応された処理回路と
を備えるアクセスポイントであって、前記処理回路は、
前記データチャネル上での非アクティビティにより前記クライアント端末が低電力モードに切り替わったと判断することと、
前記通信セッションのための追加のデータの送信より前に制御チャネル上で前記クライアント端末にデータ再開インジケータを送ることと
を行うように構成された、アクセスポイント。
【請求項３４】
前記処理回路は、
前記クライアント端末が前記低電力モードに切り替わっていることを示すメッセージを前記クライアント端末から受信する
ようにさらに構成された、請求項３３に記載のアクセスポイント。
【請求項３５】
前記処理回路は、
前記データチャネルが、しきい値時間量の間、非アクティブであったと判断することと、
前記クライアント端末が前記低電力モードに切り替わるべきことを示すメッセージを前記クライアント端末に送ることと
を行うようにさらに構成された、請求項３３に記載のアクセスポイント。
【請求項３６】
前記処理回路は、
前記通信セッションのデータを受信することであって、前記データの受信に応答して前記データ再開インジケータが送られる、受信すること
を行うようにさらに構成された、請求項３３に記載のアクセスポイント。
【請求項３７】
前記処理回路が、
前記データ再開インジケータを送ることからの固定時間オフセットの後に前記データチャネル上で前記クライアント端末に前記データを送る
ようにさらに構成された、請求項３３に記載のアクセスポイント。
【請求項３８】
前記処理回路が、
前記クライアント端末からのデータ再開インジケータ肯定応答の前記受信の後に前記データチャネル上で前記クライアント端末に前記データを送る
ようにさらに構成された、請求項３３に記載のアクセスポイント。
【請求項３９】
前記処理回路が、
前記制御チャネル上で前記クライアント端末に前記データを送る
ようにさらに構成された、請求項３３に記載のアクセスポイント。
【請求項４０】
前記アクセスポイントが、１つまたは複数のクライアント端末にネットワーク接続性を与える、請求項３３に記載のアクセスポイント。
【請求項４１】
前記ワイヤレス通信インターフェースは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）エアインターフェース規格と互換性があり、前記接続モードが、無線リソース制御（ＲＲＣ）セル専用チャネル（ＣＥＬＬ＿ＤＣＨ）モードまたはセル順方向アクセスチャネル（ＣＥＬＬ＿ＦＡＣＨ）モードのうちの１つである、請求項３３に記載のアクセスポイント。
【請求項４２】
前記ワイヤレス通信インターフェースが発展型高速パケットアクセス（ＨＳＰＡ＋）を実装し、前記制御チャネルが高速共有制御チャネル（ＨＳ−ＳＣＣＨ）である、請求項３３に記載のアクセスポイント。
【請求項４３】
前記ワイヤレス通信インターフェースはＥｖｏｌｕｔｉｏｎ−Ｄａｔａ  Ｏｎｌｙ（ＥＶ−ＤＯ）エアインターフェース規格と互換性があり、前記接続モードがアクティブモードである、請求項３３に記載のアクセスポイント。
【請求項４４】
前記制御チャネルは、前記クライアント端末がいくつかの制御チャネルスロットのみを監視することを可能にする準同期制御チャネルである、請求項４３に記載のアクセスポイント。
【請求項４５】
前記アクセスポイントが、フェムトセルとして動作し、前記クライアント端末のためのプロキシとして動作し、前記データ再開インジケータが、前記ワイヤレス通信インターフェースとは別個の２次通信インターフェースを介して前記クライアント端末に送られる、請求項３３に記載のアクセスポイント。
【請求項４６】
アクセスポイントにおいて動作可能な方法であって、
クライアント端末との通信セッションを確立することと、
前記通信セッション中にデータチャネル上で前記クライアント端末にデータメッセージをワイヤレスに送ることと、
前記データチャネル上での非アクティビティにより前記クライアント端末が低電力モードに切り替わったと判断することと、
前記通信セッションのための追加のデータの送信より前に制御チャネル上で前記クライアント端末にデータ再開インジケータを送ることと
を備える、方法。
【請求項４７】
前記クライアント端末が前記低電力モードに切り替わっていることを示すメッセージを前記クライアント端末から受信すること
をさらに備える、請求項４６に記載の方法。
【請求項４８】
前記データチャネルが、しきい値時間量の間、非アクティブであったと判断することと、
前記クライアント端末が前記低電力モードに切り替わるべきことを示すメッセージを前記クライアント端末に送ることと
をさらに備える、請求項４６に記載の方法。
【請求項４９】
前記通信セッションのデータを受信することであって、前記データの受信に応答して前記データ再開インジケータが送られる、受信すること
をさらに備える、請求項４６に記載の方法。
【請求項５０】
前記データ再開インジケータを送ることからの固定時間オフセットの後に前記データチャネル上で前記クライアント端末に前記データを送ること
をさらに備える、請求項４６に記載の方法。
【請求項５１】
前記制御チャネル上で前記クライアント端末に前記データを送ること
をさらに備える、請求項４６に記載の方法。
【請求項５２】
前記処理回路が、
前記クライアント端末からのデータ再開インジケータ肯定応答の前記受信の後に前記データチャネル上で前記クライアント端末に前記データを送る
ようにさらに構成された、請求項４６に記載の方法。
【請求項５３】
アクセスポイントであって、
クライアント端末との通信セッションを確立するための手段と、
前記通信セッション中にデータチャネル上で前記クライアント端末にデータメッセージをワイヤレスに送るための手段と、
前記データチャネル上での非アクティビティにより前記クライアント端末が低電力モードに切り替わったと判断するための手段と、
前記通信セッションのための追加のデータの送信より前に制御チャネル上で前記クライアント端末にデータ再開インジケータを送るための手段と
を備える、アクセスポイント。
【請求項５４】
前記クライアント端末が前記低電力モードに切り替わっていることを示すメッセージを前記クライアント端末から受信するための手段
をさらに備える、請求項５３に記載のアクセスポイント。
【請求項５５】
前記データチャネルが、しきい値時間量の間、非アクティブであったと判断するための手段と、
前記クライアント端末が前記低電力モードに切り替わるべきことを示すメッセージを前記クライアント端末に送るための手段と
をさらに備える、請求項５３に記載のアクセスポイント。
【請求項５６】
前記通信セッションのデータを受信するための手段であって、前記データの受信に応答して前記データ再開インジケータが送られる、受信するための手段
をさらに備える、請求項５３に記載のアクセスポイント。
【請求項５７】
クライアント端末において電力を節約するための、アクセスポイントにおいて動作可能な１つまたは複数の命令を有するプロセッサ可読媒体であって、前記１つまたは複数の命令は、プロセッサによって実行されると、
クライアント端末との通信セッションを確立することと、
前記通信セッション中にデータチャネル上で前記クライアント端末にデータメッセージをワイヤレスに送ることと、
前記データチャネル上での非アクティビティにより前記クライアント端末が低電力モードに切り替わったと判断することと、
前記通信セッションのための追加のデータの送信より前に制御チャネル上で前記クライアント端末にデータ再開インジケータを送ることと
を前記プロセッサに行わせる、プロセッサ可読媒体。
【請求項５８】
アクセスポイントとワイヤレス通信するための第１の通信インターフェースと、
クライアント端末とワイヤレス通信するための第２の通信インターフェースと、
前記第１の通信インターフェースおよび前記第２の通信インターフェースに結合された処理回路であって、
クライアント端末のためのプロキシとして動作するようにとの要求を前記クライアント端末から受信することと、
前記クライアント端末と前記アクセスポイントとの間の前に確立された通信セッションのための前記第１の通信インターフェースを介した前記クライアント端末からのデータチャネル上のデータ、ならびに
前記第１の通信インターフェースを介した前記クライアント端末のための制御チャネル上のデータ再開インジケータであって、前記データ再開インジケータが、前記クライアント端末と前記アクセスポイントとの間の前記前に確立された通信セッションのための追加のデータの送信に先行する、データ再開インジケータ
のうちの少なくとも１つを監視することと、
前記前に確立された通信セッションの再開のために前記第２の通信インターフェースを介して前記クライアント端末に前記データ再開インジケータを送ることと
を行うように適応された、処理回路と
を備える、プロキシデバイス。
【請求項５９】
前記第２の通信インターフェースが、前記第１の通信インターフェースに対して、より低電力、より短距離の送信を有する、請求項５８に記載のプロキシデバイス。
【請求項６０】
前記アクセスポイントは、前記クライアント端末が前記データ再開インジケータについて前記クライアント端末の制御チャネルを監視している低電力モードで前記クライアント端末が動作していると考える、請求項５８に記載のプロキシデバイス。
【請求項６１】
前記処理回路が、
前記第２の通信インターフェース上で前記クライアント端末からデータ再開インジケータ肯定応答を受信することと、
前記第１の通信インターフェースを介して前記アクセスポイントに前記データ再開インジケータ肯定応答を送信することと
を行うようにさらに適応された、請求項５８に記載のプロキシデバイス。
【請求項６２】
前記処理回路が、
前記前に確立された通信セッションの入来データについて前記第１の通信インターフェース上で前記クライアント端末のデータチャネルを監視することと、
受信データを前記クライアント端末に転送することと
を行うようにさらに適応された、請求項５８に記載のプロキシデバイス。
【請求項６３】
前記データ再開インジケータが、前記第２の通信インターフェースを介して制御チャネル上で前記クライアント端末に非同期的に送信される、請求項５８に記載のプロキシデバイス。
【請求項６４】
プロキシデバイス上で動作可能な方法であって、
クライアント端末のためのプロキシとして動作するようにとの要求を前記クライアント端末から受信することと、
前記クライアント端末とアクセスポイントとの間の前に確立された通信セッションのための前記第１の通信インターフェースを介した前記クライアント端末からのデータチャネル上のデータ、ならびに
前記プロキシデバイスの第１の通信インターフェースを介した前記クライアント端末のための制御チャネル上のデータ再開インジケータであって、前記データ再開インジケータが、前記クライアント端末とアクセスポイントとの間の前記前に確立された通信セッションのための追加のデータの送信に先行する、データ再開インジケータ
のうちの少なくとも１つを監視することと、
前記前に確立された通信セッションの再開のために前記プロキシデバイスの第２の通信インターフェースを介して前記クライアント端末に前記データ再開インジケータを送ることと
を備える、方法。
【請求項６５】
前記第２の通信インターフェース上で前記クライアント端末からデータ再開インジケータ肯定応答を受信することと、
前記第１の通信インターフェースを介して前記アクセスポイントに前記データ再開インジケータ肯定応答を送信することと
をさらに備える、請求項６４に記載のプロキシデバイス。
【請求項６６】
前記前に確立された通信セッションの入来データについて前記第１の通信インターフェース上で前記クライアント端末のデータチャネルを監視することと、
受信データを前記クライアント端末に転送することと
をさらに備える、請求項６４に記載のプロキシデバイス。
【請求項６７】
クライアント端末のためのプロキシとして動作するようにとの要求を前記クライアント端末から受信するための手段と、
前記クライアント端末と前記アクセスポイントとの間の前に確立された通信セッションのための前記第１の通信インターフェースを介した前記クライアント端末からのデータチャネル上のデータ、ならびに
前記プロキシデバイスの第１の通信インターフェースを介した前記クライアント端末のための制御チャネル上のデータ再開インジケータであって、前記データ再開インジケータが、前記クライアント端末とアクセスポイントとの間の前記前に確立された通信セッションのための追加のデータの送信に先行する、データ再開インジケータ
のうちの少なくとも１つを監視するための手段と、
前記前に確立された通信セッションの再開のために前記プロキシデバイスの第２の通信インターフェースを介して前記クライアント端末に前記データ再開インジケータを送るための手段と
を備える、プロキシデバイス。
【請求項６８】
クライアント端末において電力節約を可能にするための、プロキシデバイスにおいて動作可能な１つまたは複数の命令を有するプロセッサ可読媒体であって、前記１つまたは複数の命令は、プロセッサによって実行されると、
クライアント端末のためのプロキシとして動作するようにとの要求を前記クライアント端末から受信することと、
前記クライアント端末と前記アクセスポイントとの間の前に確立された通信セッションのための前記第１の通信インターフェースを介した前記クライアント端末からのデータチャネル上のデータ、ならびに
前記プロキシデバイスの第１の通信インターフェースを介した前記クライアント端末のための制御チャネル上のデータ再開インジケータであって、前記データ再開インジケータが、前記クライアント端末とアクセスポイントとの間の前記前に確立された通信セッションのための追加のデータの送信に先行する、データ再開インジケータ
のうちの少なくとも１つを監視することと、
前記前に確立された通信セッションの再開のために前記プロキシデバイスの第２の通信インターフェースを介して前記クライアント端末に前記データ再開インジケータを送ることと
を前記プロセッサに行わせる、プロセッサ可読媒体。
【発明の詳細な説明】
【技術分野】
【０００１】
様々な特徴は、ワイヤレス通信システムに関する。少なくとも１つの特徴は、ワイヤレスクライアント端末のネットワークからデータ再開インジケータを監視するためにプロキシデバイスを使用することによって、接続モードと監視モードとにおいてそのクライアント端末における電力節約を可能にするためのデバイスおよび方法に関する。
【背景技術】
【０００２】
ワイヤレス信号を通じて他のデバイスと通信する、ラップトップコンピュータ、携帯情報端末デバイス、モバイルまたはセルラーフォン、あるいはプロセッサをもつ他のデバイスなどのクライアント端末が、ますます普及しつつある。クライアント端末は一般にバッテリー電源式であり、バッテリーが供給することができる電力の量は限られている。消費者が、クライアント端末上で動作する電力集約的なアプリケーション、特にエンターテインメントメディアおよびイメージングアプリケーションを使用する場合、バッテリー電力を節約することが重要である。
【０００３】
クライアント端末は、ワイヤレスネットワークにおいて実装されている通信規格に応じて、いくつかのモードのうちの１つで動作し得る。たとえば、広帯域符号分割多元接続（ＷＣＤＭＡ(登録商標)）は、セル専用チャネルＤＣＨ（ＣＥＬＬ＿ＤＣＨ）、セル順方向アクセスチャネルＦＡＣＨ（ＣＥＬＬ＿ＦＡＣＨ）、セルページングチャネルＰＣＨ（ＣＥＬＬ＿ＰＣＨ）、およびＵＴＲＡＮ登録エリアＵＲＡページングチャネルＰＣＨ（ＵＲＡ＿ＰＣＨ）を含む様々なタイプの無線リソース制御（ＲＲＣ：Radio Resource Control）状態と、アイドルモードとを含む。同様に、Ｅｖｏｌｕｔｉｏｎ−Ｄａｔａ  Ｏｎｌｙ（ＥＶ−ＤＯ）は、ＣＤＭＡ２０００規格ファミリーの一部であり、特に、アクティブモードと、サスペンドモードと、アイドルモードとを含む、複数のＥＶ−ＤＯ動作状態を定義する。ここで、「接続」モード（たとえば、ＵＭＴＳ  ＲＲＣ状態ＣＥＬＬ＿ＤＣＨおよびＣＥＬＬ＿ＦＡＣＨ、ならびにＥＶ−ＤＯアクティブモード）において、クライアント端末は、１つまたは複数のアクセスポイント（たとえば、基地局、ノードＢ、フェムトセルなど）とデータ（たとえば、ボイスまたはデータ呼またはセッション）を受信および／または送信するために、ワイヤレスネットワークに完全にまたは部分的に接続され得る。そのような「接続」モードでは、従来のクライアント端末は、データチャネルを監視しおよび／またはワイヤレスネットワークとの接続を維持するために必要とされる回路を持続させるために、かなりの量の電力を消費し得る。アイドルモードでは、クライアント端末は、ページングチャネル（ＰＣＨ）などの制御チャネルを、ページングメッセージについて監視し得る。そのようなページングメッセージは、入来データメッセージ（たとえば、データパケットまたはセグメント）の発生についてクライアント端末に警告するメッセージと、クライアント端末のシステム情報および他の情報を搬送する制御／オーバヘッドメッセージとを含み得る。アイドルモードにおける電力消費は、接続モードにおける電力消費よりもかなり少ないが、メッセージが受信された場合に、回路に電力供給し、アイドルモードからワイヤレスネットワーク接続を再確立する際の遅延がより長い。この遅延は、（たとえば、接続モードにおける遅延と比較して）比較的長く、ユーザエクスペリエンスに著しい影響を及ぼし得る（たとえば、メッセージを受信する際の著しい遅延、メッセージの欠落、送信者からの再試行の増加など）。したがって、ワイヤレス端末を接続モードに維持すると、電力の枯渇または消費が速くなるが、アイドルモードに切り替わると、著しい遅れまたは遅延が生じる。
【０００４】
したがって、接続モードにある間のクライアント端末の電力消費量を低減し、それにより、電力節約動作モードに一般に関連する顕著な遅延を回避する解決策が必要である。
【発明の概要】
【０００５】
１つの特徴は、クライアント端末においてアクセスポイントとの通信セッション中に電力節約を可能にするためのシステムおよび方法を提供する。クライアント端末がアクセスポイントから連続監視データチャネル上でデータを受信している通信セッション中に、非アクティビティ期間（たとえば、データチャネル上でデータが送信されない時間期間）が存在し得る。そのような期間中に電力を節約するために、クライアント端末は、データチャネルを連続的に監視するのを停止し、通信セッションのための追加のデータがいつ送られるかを知るために、構成可能な間隔で送られるネットワーク提供またはフェムトセル提供のデータ再開インジケータ（ＤＲＩ：data resume indicator）に依拠する、低電力モードに切り替わり得る。この低電力モードでは、クライアント端末は、電力を節約するために、チャネルを不連続的に監視しおよび／またはより少ないチャネルを監視し得、したがって、クライアント端末の無線回路の大部分をオフにすることができる。たとえば、クライアント端末は、データ再開インジケータについて制御チャネルを不連続的に監視し得る。より少ないチャネルを監視し、それらのチャネルを不連続的に監視することにより、クライアント端末は、電力を節約することが可能であり、通信セッションに関連するデータについてデータチャネルを再び監視するのをクライアント端末がいつ開始すべきかを知るために、代わりにネットワークからのＤＲＩに依拠する。
【０００６】
アクティブ通信セッション中の電力節約のためにクライアント端末上で動作可能な方法が提供される。通信セッションは、最初に、アクセスポイントと確立され得る。クライアント端末は、通信セッション中にデータチャネルを使用して接続モードで動作させられ、クライアント端末の動作モードはアクセスポイントに知られる。クライアント端末は、その後、通信セッションがアクティブなままである間に、データチャネルにおける非アクティビティ期間の後に低電力モードに切り替えられ得る。たとえば、クライアント端末（あるいはワイヤレス通信インターフェースまたはその中の回路）は、非アクティビティ期間がしきい値時間量を超えたと判断し得、独立して低電力モードに切り替わる。
【０００７】
一例では、低電力モードにおいて、電力を節約するために、制御チャネルは不連続的に監視され、データチャネルは監視されない。その場合、制御チャネルは、アクセスポイントからのデータ再開インジケータについてクライアント端末によって監視され得、データ再開インジケータは、通信セッションのデータの送信より前にアクセスポイントによって送られる。いくつかの実装形態では、クライアント端末は、低電力モードで動作している間に制御チャネル上でデータ送信を受信し得る。
【０００８】
他の実装形態では、データ再開インジケータを受信すると、クライアント端末は、クライアント端末がアクセスポイントからのデータ送信についてデータチャネルを監視する接続モードに切り替えられ得る。その後、クライアント端末は、データチャネル上でアクセスポイントからデータ送信を受信し得る。通信セッションのデータは、データ再開インジケータの受信からの固定時間オフセットにおいて受信され得る。クライアント端末は、応答してアクセスポイントにデータ再開インジケータ肯定応答を送り得、通信セッションのデータは、データ再開インジケータ肯定応答の受信の後にのみアクセスポイントによって送信される。
【０００９】
１つの特徴によれば、クライアント端末（あるいはワイヤレス通信インターフェースまたはその中の回路）は、クライアント端末が低電力モードに切り替わっていることを示すメッセージをアクセスポイントに送り得る。代替的に、クライアント端末（あるいはワイヤレス通信インターフェースまたはその中の回路）は、クライアント端末を低電力モードに切り替わらせるメッセージをアクセスポイントから受信し得る。
【００１０】
概して、低電力モードでは、クライアント端末は、接続モードよりも少ない電力を消費し得る。一例では、ワイヤレス通信インターフェースは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）エアインターフェース規格と互換性があり得、接続モードは、無線リソース制御（ＲＲＣ）セル専用チャネル（ＣＥＬＬ＿ＤＣＨ）モードまたはセル順方向アクセスチャネル（ＣＥＬＬ＿ＦＡＣＨ）モードのうちの１つである。たとえば、ワイヤレス通信インターフェースは発展型高速パケットアクセス（ＨＳＰＡ＋）を実装し、制御チャネルは高速共有制御チャネル（ＨＳ−ＳＣＣＨ）である。別の例では、ワイヤレス通信インターフェースはＥｖｏｌｕｔｉｏｎ−Ｄａｔａ  Ｏｎｌｙ（ＥＶ−ＤＯ）エアインターフェース規格と互換性があり得、接続モードはアクティブモードである。たとえば、制御チャネルは、クライアント端末がいくつかの制御チャネルスロットのみを監視することを可能にする準同期制御チャネルである。
【００１１】
一実装形態によれば、クライアント端末は、ワイヤレス通信インターフェースと、処理回路とを含み得る。ワイヤレス通信インターフェースは、アクセスポイントとワイヤレス通信するように適応され得る。処理回路は、ワイヤレス通信インターフェースに結合され、通信セッション中にワイヤレス通信インターフェースを介してデータメッセージを受信するように適応され得る。ワイヤレス通信インターフェースは、さらに、（ａ）通信セッション中にデータチャネルを使用して接続モードで動作することであって、クライアント端末の動作モードがアクセスポイントに知られる、動作すること、（ｂ）通信セッションがアクティブなままである間に、データチャネルにおける非アクティビティ期間の後に低電力モードに切り替わること、および／または（ｃ）アクセスポイントからのデータ再開インジケータについて制御チャネルを監視することであって、データ再開インジケータが、通信セッションのデータの送信より前にアクセスポイントによって送られる、監視することを行うように構成され得る。ワイヤレス通信インターフェースはまた、非アクティビティ期間がしきい値時間量を超えたと判断し、独立して低電力モードに切り替わり、および／またはクライアント端末が低電力モードに切り替わっていることを示すメッセージをアクセスポイントに送り得る。それに応答して、ワイヤレス通信インターフェースは、クライアント端末を低電力モードに切り替わらせるメッセージをアクセスポイントから受信し得る。
【００１２】
１つの特徴によれば、クライアント端末はまた、プロキシデバイスと通信するための２次通信インターフェースを含み得る。処理回路は、２次通信インターフェースに結合され、（ａ）クライアント端末のために１つまたは複数の制御チャネルを監視するようにとのプロキシ要求をプロキシデバイスに送ること、（ｂ）ワイヤレス通信インターフェースを電源切断すること、および／または（ｃ）プロキシデバイスからのデータ再開インジケータについて２次通信インターフェース上で第２の制御チャネルを監視することを行うように構成され得る。２次通信インターフェースは、ワイヤレス通信インターフェースに対する低電力インターフェースであり得る。プロキシデバイスからのデータ再開インジケータは、アクセスポイントによるワイヤレス通信インターフェース上での通信セッションのデータの送信に先行し得る。一例では、第２の制御チャネルは、２次通信インターフェースを介してクライアント端末によって連続的に監視される非同期制御チャネルであり得る。プロキシデバイスからデータ再開インジケータを受信すると、処理回路は、（ａ）ワイヤレス通信インターフェースを電源投入すること、および／または（ｂ）通信セッションのための予想されるデータ送信についてワイヤレス通信インターフェース上でトラフィックチャネルを監視することを行うように適応される。
【００１３】
アクティブ通信セッション中にクライアント端末の電力節約を可能にするためのアクセスポイント上で動作可能な方法が提供される。通信セッションは、アクセスポイントとクライアント端末との間に確立され得る。アクセスポイントは、次いで、通信セッション中にデータチャネル上でクライアント端末にデータメッセージをワイヤレスに送り得る。アクセスポイントは、その後、データチャネル上での非アクティビティによりクライアント端末が低電力モードに切り替わったと判断し得る。たとえば、アクセスポイントは、クライアント端末が低電力モードに切り替わっていることを示すメッセージをクライアント端末から受信し得る。代替的に、アクセスポイントは、データチャネルが、しきい値時間量の間、非アクティブであったと判断し得、したがって、クライアント端末が低電力モードに切り替わるべきことを示すメッセージをクライアント端末に送る。
【００１４】
したがって、アクセスポイントは、その後、通信セッションのための追加のデータの送信より前に、制御チャネル上でクライアント端末にデータ再開インジケータを送り得る。たとえば、データ再開インジケータは、クライアント端末の通信セッションのためのデータの受信に応答して送られ得る。データは、データチャネルを再確立する必要なしに、制御チャネル上でクライアント端末に送られ得る。代替的に、データは、データ再開インジケータを送ることからの固定時間オフセットの後に、データチャネル上でアクセスポイントによってクライアント端末に送られ得る。一例では、データは、クライアント端末からのデータ再開インジケータ肯定応答の受信の後に、データチャネル上でクライアント端末に送られ得る。
【００１５】
一実装形態では、アクセスポイントは、ワイヤレス通信インターフェースと、処理回路とを含み得る。ワイヤレス通信インターフェースは、クライアント端末とワイヤレス通信するように適応され得る。処理回路は、ワイヤレス通信インターフェースに結合され、通信セッション中にワイヤレス通信インターフェースを介してデータチャネル上でクライアント端末にデータメッセージを送るように適応され得る。処理回路は、（ａ）データチャネル上での非アクティビティによりクライアント端末が低電力モードに切り替わったと判断すること、および／または（ｂ）通信セッションのための追加のデータの送信より前に制御チャネル上でクライアント端末にデータ再開インジケータを送ることを行うように構成され得る。
【００１６】
一例では、ワイヤレス通信インターフェースは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）エアインターフェース規格と互換性があり得、接続モードは、無線リソース制御（ＲＲＣ）セル専用チャネル（ＣＥＬＬ＿ＤＣＨ）モードまたはセル順方向アクセスチャネル（ＣＥＬＬ＿ＦＡＣＨ）モードのうちの１つである。
【００１７】
たとえば、ワイヤレス通信インターフェースは発展型高速パケットアクセス（ＨＳＰＡ＋）を実装し得、制御チャネルは高速共有制御チャネル（ＨＳ−ＳＣＣＨ）であり得る。
【００１８】
別の例では、ワイヤレス通信インターフェースはＥｖｏｌｕｔｉｏｎ−Ｄａｔａ  Ｏｎｌｙ（ＥＶ−ＤＯ）エアインターフェース規格と互換性があり、接続モードはアクティブモードである。たとえば、制御チャネルは、クライアント端末がいくつかの制御チャネルスロットのみを監視することを可能にする準同期制御チャネルであり得る。
【００１９】
一実装形態では、アクセスポイントは、フェムトセルとして動作し得、クライアント端末のためのプロキシとして動作し、データ再開インジケータは、ワイヤレス通信インターフェースとは別個の２次通信インターフェースを介してクライアント端末に送られる。
【００２０】
さらに別の特徴によれば、クライアント端末において電力節約を可能にするためのプロキシデバイス上で動作可能な方法が提供される。プロキシデバイスは、クライアント端末のためのプロキシとして動作するようにとの要求をクライアント端末から受信し得る。したがって、プロキシデバイスは、（ａ）クライアント端末とアクセスポイントとの間の前に確立された通信セッションのための第１の通信インターフェースを介したクライアント端末からのデータチャネル上のデータ、および／または（ｂ）プロキシデバイスの第１の通信インターフェースを介したクライアント端末のための制御チャネル上のデータ再開インジケータであって、データ再開インジケータが、クライアント端末とアクセスポイントとの間の前に確立された通信セッションのための追加のデータの送信に先行する、データ再開インジケータのうちの少なくとも１つを監視し得る。データ再開インジケータを受信すると、プロキシデバイスは、前に確立された通信セッションの再開のためにプロキシデバイスの第２の通信インターフェースを介してクライアント端末にデータ再開インジケータを送り得る。一例では、データ再開インジケータは、第２の通信インターフェースを介して制御チャネル上でクライアント端末に非同期的に送信される。
【００２１】
プロキシデバイスは、第２の通信インターフェース上でクライアント端末からデータ再開インジケータ肯定応答を受信し得る。肯定応答の結果として、プロキシデバイスは、第１の通信インターフェースを介してアクセスポイントにデータ再開インジケータ肯定応答を送信し得る。さらに、プロキシデバイスは、前に確立された通信セッションの入来データについて第１の通信インターフェース上でクライアント端末のデータチャネルを監視し得る。プロキシデバイスは、次いで、受信データをクライアント端末に転送し得る。
【００２２】
一実装形態によれば、プロキシデバイスは、第１の通信インターフェース、第２の通信インターフェース、および／または処理回路を含み得る。第１の通信インターフェースは、アクセスポイントとワイヤレス通信するように適応され得る。第２の通信インターフェースは、クライアント端末とワイヤレス通信するように適応され得る。処理回路は、クライアント端末のためのプロキシとして動作するようにとの要求をクライアント端末から受信するように適応され得る。その場合、プロキシデバイスは、（ａ）クライアント端末とアクセスポイントとの間の前に確立された通信セッションのための第１の通信インターフェースを介したクライアント端末からのデータチャネル上のデータ、および／または（ｂ）第１の通信インターフェースを介したクライアント端末のための制御チャネル上のデータ再開インジケータであって、データ再開インジケータが、クライアント端末とアクセスポイントとの間の前に確立された通信セッションのための追加のデータの送信に先行する、データ再開インジケータのうちの少なくとも１つを監視し得る。プロキシデバイスは、次いで、前に確立された通信セッションの再開のために第２の通信インターフェースを介してクライアント端末にデータ再開インジケータを送り得る。一例では、第２の通信インターフェースは、第１の通信インターフェースに対して、より低電力、より短距離の送信を有し得る。プロキシデバイス動作により、アクセスポイントは、クライアント端末がデータ再開インジケータについてクライアント端末の制御チャネルを監視している低電力モードでクライアント端末が動作していると考え得ることに留意されたい。
【００２３】
本特徴の機能、特性、および利点は、全体を通じて同様の参照符号が同様のものを指す図面とともに、以下に記載する詳細な説明を読めばより明らかになろう。
【図面の簡単な説明】
【００２４】
【図１】クライアント端末における電力節約がデータ再開インジケータの使用によって可能にされるワイヤレス通信システムを示すブロック図。
【図２】電力を節約するために異なる動作モード間で切り替わるためにクライアント端末がどのように動作させられ得るかを示す状態図の一例を示す図。
【図３】クライアント端末の動作モードと、それらの対応する監視チャネルおよび監視サイクルとの一例を示す表。
【図４】異なるワイヤレス通信規格（ＥＶ−ＤＯおよびＵＭＴＳ）の動作モード階層の２つの例を示す図。
【図５】低電力モードとともに異なるＵＭＴＳ接続状態におけるチャネル監視の一例を示す図。
【図６】ＵＭＴＳ通信システムにおけるアクティブ通信セッション中に電力節約を達成するための、クライアント端末とアクセスポイントとの動作を示すブロック図。
【図７】ＵＭＴＳ通信システムにおけるアクティブ通信セッション中に電力節約を達成するための図６の代替形態を示すブロック図。
【図８】ＵＭＴＳシステムにおける２次共通制御物理チャネル（Ｓ−ＣＣＰＣＨ）内にデータ再開インジケータがどのように実装され得るかの例を示す図。
【図９】発展型高速パケットアクセス（ＨＳＰＡ＋）をサポートするＵＭＴＳシステム内にデータ再開インジケータがどのように実装され得るかの例を示す図。
【図１０】低電力モードとともにＥＶ−ＤＯ接続状態におけるチャネル監視の一例を示す図。
【図１１】データオーバシグナリングを使用している間に、ＥＶ−ＤＯ通信システムにおけるアクティブ通信セッション中に電力節約を達成するための、クライアント端末とアクセスポイントとの動作を示すブロック図。
【図１２】ＥＶ−ＤＯ通信システムにおけるアクティブ通信セッション中に電力節約を達成するための、クライアント端末とアクセスポイントとの動作を示すブロック図。
【図１３】データ再開インジケータを使用することによるアクティブ通信セッション中の電力節約のために構成されたクライアント端末の例のブロック図。
【図１４】アクティブ通信セッション中の電力節約のためにクライアント端末において動作可能な方法を示す図。
【図１５】データ再開インジケータを使用することによってアクティブ通信セッション中にアクセス端末において電力節約を可能にするように構成されたアクセスポイントの例のブロック図。
【図１６】通信セッション中にクライアント端末の電力節約を可能にするためにアクセスポイントにおいて動作可能な方法を示す図。
【図１７】プロキシデバイスが存在し、クライアント端末における電力節約を可能にするためにデータ再開インジケータを実装するように構成され得る動作環境を示す図。
【図１８】クライアント端末における電力節約を可能にするためにクライアント端末のためのプロキシとして働くように構成されたプロキシデバイスの例のブロック図。
【図１９】クライアント端末の通信ネットワークがＤＲＩをサポートするとき、クライアント端末における電力節約を可能にするためにプロキシデバイスにおいて動作可能な方法を示す流れ図。
【図２０】データ再開インジケータおよび／またはプロキシデバイスを使用した電力節約のためにクライアント端末において動作可能な方法を示す流れ図。
【図２１】クライアント端末のためのプロキシとして動作し、それにより、ＣＤＭＡ  １ｘ  Ｅｖｏｌｕｔｉｏｎ−Ｄａｔａ  Ｏｎｌｙ（ＥＶ−ＤＯ）を使用してクライアント端末における電力節約を可能にするためのプロキシデバイス機能を組み込むフェムトアクセスポイントの例を示すブロック図。
【図２２】クライアント端末のためのプロキシとして動作し、それにより、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）を使用してクライアント端末における電力節約を可能にするためのプロキシデバイス機能を組み込むフェムトアクセスポイントの例のブロック図。
【図２３Ａ】プロキシ機能をもつフェムトアクセスポイントがデータ再開インジケータを使用することによってクライアント端末における電力節約を可能にするワイヤレス通信システムの動作を示す流れ図。
【図２３Ｂ】プロキシ機能をもつフェムトアクセスポイントがデータ再開インジケータを使用することによってクライアント端末における電力節約を可能にするワイヤレス通信システムの動作を示す流れ図。
【発明を実施するための形態】
【００２５】
以下の説明では、実施形態の十分な理解が得られるように具体的な詳細を与える。ただし、これらの実施形態は、これらの具体的な詳細なしに実施され得ることを、当業者なら理解されよう。たとえば、これらの実施形態を不必要な詳細において不明瞭にしないために、回路をブロック図で示すことがある。他の場合には、これらの実施形態を不明瞭にしないために、よく知られている回路、構造、および技法を詳細に図示することがある。
【００２６】
以下の説明では、１つまたは複数の実施形態のいくつかの特徴について説明するためにいくつかの用語を使用する。たとえば、「アクセスポイント」という用語は、（ワイヤレス通信デバイスのために）通信ネットワークまたはデータネットワークへのワイヤレス接続性を可能にするデバイスを指す。たとえば、「アクセスポイント」という用語は、基地局、ノードＢデバイス、フェムトセル、ピコセルなどを含み得る。「クライアント端末」という用語は、モバイルフォン、ページャ、ワイヤレスモデム、携帯情報端末、個人情報マネージャ（ＰＩＭ）、パームトップコンピュータ、ラップトップコンピュータ、および／または、少なくとも部分的にワイヤレスネットワークもしくはセルラーネットワークを通じて通信する他のモバイル通信／コンピューティングデバイスを指す。「プロキシデバイス」という用語は、１次通信インターフェース上でクライアント端末に宛てられたデータメッセージを受信し、および／または、２次通信インターフェースを通じてそのようなデータメッセージを意図されたクライアント端末に転送する、ワイヤレス通信能力を有する任意のデバイスを含み得る。
【００２７】
概要
１つの特徴は、ワイヤレスネットワークからのデータ再開インジケータ（ＤＲＩ）を使用することによってクライアント端末における電力節約を可能にするためのシステム、装置、および方法を提供する。例示的なクライアント端末は、例示的なクライアント端末がそれを用いてワイヤレスネットワークの１つまたは複数のチャネル上でデータおよび／または制御信号を（たとえば、ワイヤレスアクセスポイントとの間で）ワイヤレス送信および／または受信することができる１次通信インターフェースを含み得る。クライアント端末は、それの１次通信インターフェースに電力供給する内部電源（たとえば、バッテリー）によって電力供給され得る。動作中に、クライアント端末は、様々な接続モードおよび／または電力節約モードに従ってクライアント端末の１次通信を動作させ得る。接続モード（たとえば、ＥＶ−ＤＯアクティブ状態またはＵＭＴＳ  ＲＲＣ  ＣＥＬＬ＿ＤＣＨおよびＣＥＬＬ＿ＦＡＣＨ）にある間の内部電源の耐用寿命を伸ばすために、１つの特徴は、クライアント端末が接続モードで通常監視するであろうよりも少ないチャネルを監視すること、それらのチャネルを不連続的に監視すること、接続モードにおいてデータチャネルを監視するために使用される回路をオフにすること、および／または接続モード動作を再開するためのデータ再開インジケータに依拠することによって電力を節約するために、クライアント端末が低電力モードで動作することを可能にし得る。そのような低電力モードでは、クライアント端末は、一部または全部のチャネルがより低い頻度で監視される、より長いチャネル監視サイクルを実装し得る。たとえば、接続モードにある間にデータチャネルを連続的または周期的に監視するのではなく、クライアント端末は、制御チャネルを単に不連続的に監視し得、クライアント端末は、データチャネル上でデータメッセージが送られるより前に制御チャネル上でＤＲＩを受信すると予想する。したがって、クライアント端末は、いくつかのチャネル（たとえば、スロット）のみを監視して、監視サイクルをより長くさせ、それによって電力消費量を低下させ得る。低電力モードは、特定の規格によって定義された電力節約モードとは異なる別個のものであり得ることに留意されたい。たとえば、低電力モードは、接続モードの修正または調整であり得る。たとえば、そのような低電力モードでは、（１つまたは複数の）いくつかの制御チャネルは、電力節約モードで監視された場合、本来なら監視されたであろうよりも頻繁に監視され得る。一実装形態では、そのような（１つまたは複数の）制御チャネルは、接続モードの場合と同じ監視サイクルで監視され得るが、接続モードにおいて監視される他のチャネルは、低電力モードでは監視されない。
【００２８】
クライアント端末は、単独で、あるいは１次通信インターフェースをサービスするワイヤレスネットワーク（たとえば、アクセスポイント）から受信された指示または命令の下で、接続モードとクライアント端末の低電力モードとの間で切り替わり得る。接続モードの例は、たとえば、無線リソース制御状態ＣＥＬＬ＿ＤＣＨ、ＣＥＬＬ＿ＦＡＣＨ、ＣＥＬＬ＿ＰＣＨ、およびＵＲＡ＿ＰＣＨを含み得る。これを行うために、クライアント端末は、接続モードにある間に、クライアント端末が低電力モードに切り替わっていることをワイヤレスネットワーク（たとえば、ワイヤレスアクセスポイント）に通知するか、あるいはワイヤレスネットワークによって（たとえば、データ送信セッション中にデータチャネル上での非アクティビティ期間の後に）低電力モードに切り替わるように告げられる。クライアント端末が低電力モードで動作していることを知ると、ネットワークは、その後、クライアント端末がいつ低電力モードから接続モードに切り替え復帰すべきであるかをクライアント端末に示すために、（指定された制御チャネルを介して送られる）データ再開インジケータ（ＤＲＩ）を使用し得る。すなわち、ワイヤレスネットワークが、クライアント端末に送られるべきデータを受信したとき、ワイヤレスネットワークは、最初に、接続モードにおいてのみ利用可能なチャネル上でデータを予期するようにクライアント端末に通知する、データ再開インジケータ（ＤＲＩ）をクライアント端末に送る。ＤＲＩは、低電力状態中にクライアント端末によって監視される第１のチャネル（たとえば、シグナリング／制御チャネル）上で送信され得ることに留意されたい。対照的に、後続のデータは、接続モード中にのみクライアント端末によって監視される第２のチャネル（たとえば、データチャネル）上でワイヤレスネットワーク（たとえば、アクセスポイント）によって送信され得る。したがって、そのようなＤＲＩを受信すると、クライアント端末は、接続モードに切り替わり、次いで、データ送信がその上で予想される第２のチャネルを監視する。
【００２９】
別の態様によれば、データ送信は、ＤＲＩの送信からの事前構成された固定オフセットの後に（たとえば、ＤＲＩからの指定された数のスロットの後に）送られ得る。このオフセットにより、低電力モードにあったクライアント端末は、アクセスポイント／ネットワークから保留データまたは入来データが送られる前に、すべてのワイヤレス受信機構成要素をフル機能に回復するための十分な時間を与えられ得る。代替実装形態では、ネットワーク（アクセスポイント）は、ＤＲＩを送り、次いで、データチャネル上でデータを送るより前にクライアント端末からＤＲＩ肯定応答を受信するのを待つ。これにより、クライアント端末がデータチャネル上でデータメッセージを受信するための準備ができることが保証される。
【００３０】
さらに別の特徴によれば、クライアント端末は、クライアント端末がワイヤレスネットワーク（アクセスポイント）からデータ／制御メッセージをリッスンするのを中止している間に、クライアント端末のためにデータメッセージを受信するようにプロキシデバイスに依拠し得る。たとえば、クライアント端末は、（たとえば、２次通信インターフェースを使用して）それのプロキシデバイスからの通信を周期的に監視している間に、ワイヤレスネットワーク（アクセスポイント）へのそれの１次通信インターフェースを切断または電源切断し得る。したがって、プロキシデバイスはアクセス端末からクライアント端末に宛てられたデータメッセージを受信したとき、プロキシデバイスは、ＤＲＩを生成し、（たとえば、２次通信インターフェース上で）クライアント端末に送り得る。一実装形態では、クライアントデバイスは、次いで、（プロキシデバイスによってバッファされた）データメッセージをクライアントデバイスの２次通信インターフェースを介して受信し得る。代替実装形態では、ＤＲＩを受信したことにより、クライアント端末は、クライアント端末の１次通信インターフェースを電源投入し、ワイヤレスネットワーク（アクセスポイント）からのデータメッセージの送信／再送信についてデータチャネルを監視し得る。さらに別の実装形態では、ワイヤレスネットワーク（アクセスポイント）がＤＲＩを送り、そのＤＲＩはプロキシデバイスによって受信され、プロキシデバイスは、次いで、そのＤＲＩを２次通信インターフェース上でクライアント端末に転送する。
【００３１】
通信セッション中の電力節約のための低電力モードをもつ例示的なクライアント端末
図１は、クライアント端末における電力節約がデータ再開インジケータの使用によって可能にされるワイヤレス通信システムを示すブロック図である。クライアント端末１０２は、通信ネットワーク１０８の一部であり得る、１つまたは複数のワイヤレスアクセスポイント１０６（たとえば、基地局またはノードＢ、フェムトセル、ピコセルなど）を介して、通信ネットワーク１０８を通して通信することが可能であり得る。クライアント端末１０２は、第１のワイヤレスリンク１１８を通してワイヤレスアクセスポイント１０６と直接通信するための１次通信インターフェース１１０（またはトランシーバ）を含み得る。ワイヤレスリンク１１８は、ワイヤレスアクセスポイント１０６と１つまたは複数のクライアント端末１０２との間で、１つまたは複数のデータチャネル、制御／シグナリングチャネル、および／またはページングチャネルを搬送し得る。ワイヤレスリンク１１８は、ダウンリンクまたは順方向リンクチャネル（すなわち、アクセスポイント１０６からクライアント端末１０２に）と、アップリンクまたは逆方向リンクチャネル（すなわち、クライアント端末１０２からアクセスポイント１０６に）とを搬送し得る。クライアント端末１０２は、（限りのある）内部電源（たとえば、バッテリー）によって電力供給され得る。
【００３２】
クライアント端末１０２は、一般に、接続モードおよび電力節約／非アクティブモードを含む、様々なモードで動作し得る。接続モードにある間、クライアント端末１０２は、アクセスポイント１０６と通信してデータメッセージを受信および／または送信するための呼／セッションを確立するために、それの１次通信インターフェースを使用し得る。接続モードでは、クライアント端末は、１つまたは複数のデータチャネルおよび／または制御／シグナリングチャネルを連続的または周期的に監視し得る。電力節約／非アクティブモード（たとえば、アイドル／スリープモード）では、クライアント端末１０２は、１つまたは複数のデータチャネルを監視しなくてよく、制御／シグナリングチャネルをより低い頻度で（たとえば、より長いチャネル監視サイクルで）監視し得る。クライアント端末１０２（またはそれの１次通信インターフェース１１０）の動作モードは、ワイヤレスアクセスポイント１０６または通信ネットワーク１０８の他のエンティティに通信されおよび／またはそれによって設定され得る。
【００３３】
（たとえば、クライアント端末によってアクセスポイントからデータメッセージが受信されている）通信セッション中に、クライアント端末１０２は、入来データメッセージについて１つまたは複数のデータチャネルを頻繁にまたは連続的に監視する、接続モードで動作し得る。しかしながら、１つまたは複数のデータチャネル上では、アクティブ通信セッション中にデータメッセージが受信されない非アクティビティ期間が存在し得る。したがって、クライアント端末１０２が何らかのタイプの電力節約を実装することを試みることが有益であり得る。しかしながら、電力節約／非アクティブモードにおけるより長い（より低い頻度の）チャネル監視サイクルにより、データメッセージを受信する際に容認できないほど長い遅延が知覚され得るので、接続モードから典型的な電力節約／非アクティブモードへの切替えは常に実際的であるとは限らない。さらに、電力節約／非アクティブモードでは、１次通信インターフェース１１０の一部（たとえば、受信機無線回路）が停止され得る。したがって、電力節約／非アクティブモードから接続モードへの切替え復帰は、１次通信インターフェース１１０の一部を再開しなければならないことによって遅延され得る。
【００３４】
１つの特徴によれば、クライアント端末１０２が接続モードにあり、アクティブ通信セッションを有する間に、クライアント端末１０２は、それの１つまたは複数のデータチャネル上で非アクティビティ期間が検出されたときに低電力モードに切り替わるように構成され得る。この低電力モードは、接続モードの修正バージョンであり、規格によって定義された典型的な電力節約／非アクティブモードとは別個のものであり得る。
【００３５】
図２は、電力を節約するために異なる動作モード間で切り替わるためにクライアント端末がどのように動作させられ得るかを示す状態図の一例を示す図である。たとえば、クライアント端末は、概して、３つのモード、すなわち、接続モード２０２と、電力節約／非アクティブモード２０４と、低電力モード２０６との間で動作し得る。いくつかの実装形態では、接続モード２０２と電力節約／非アクティブモード２０４とは、１つまたは複数の動作サブモードを含み得る。クライアント端末は、アクティブ通信セッション中に、クライアント端末がデータおよび／または制御／シグナリングチャネルを監視し得る接続モード２０２で動作し得る。クライアント端末は、アクティブデータ通信セッションがある間（たとえば、データチャネルがアクティブである間、および／または制御チャネルが連続的に監視される間）は、接続モード２０２にとどまり得る。アクティブ通信セッションがない場合、クライアント端末は、クライアント端末が（データチャネルでなく）ページングチャネルのみを監視し得る電力節約／非アクティブモード２０４に切り替わり得る。電力節約／非アクティブモード２０４では、クライアント端末は、ページが受信されるまでページングチャネルを監視し得、ページが受信された時点でクライアント端末は接続モード２０２に切り替え復帰する。
【００３６】
低電力モード２０６は、本明細書では、クライアント端末が依然としてアクティブ通信セッションを有する間に何らかの電力節約を行うものとして定義する。すなわち、アクティブデータ通信セッション中にデータチャネル非アクティビティ期間が存在する（たとえば、データメッセージが連続的に受信されていないか、またはあらゆる予想される／利用可能なデータチャネルスロットにおいて受信されていない）場合、クライアント端末は低電力モード２０６に切り替わり得る。この低電力モード２０６では、クライアント端末によってデータチャネルは監視されなくてよいがが、制御／シグナリングチャネルは監視される。通信ネットワーク（アクセスポイント１０６）には、接続モードから低電力モードへのこのモード変更が通知され得る。したがって、通信ネットワーク（アクセスポイント１０６）は、クライアント端末とのアクティブ通信セッションのために追加のデータメッセージが利用可能であるとき、（制御／シグナリングチャネル上で）データ再開インジケータ（ＤＲＩ）を送るべきことを知る。したがって、クライアント端末がＤＲＩを受信すると、クライアント端末は、低電力モード２０６から接続モード２０２に切り替え復帰し、それのアクティブ通信セッションの一部であるデータメッセージを予想してデータチャネルを監視する。
【００３７】
図３は、クライアント端末の動作モードと、それらの対応する監視チャネルおよび監視サイクルとの一例を示す表である。接続モード２０２では、クライアント端末は、第１の監視サイクルαに従って、データチャネル、制御／シグナリングチャネル、および／またはページングチャネルを監視し得る。低電力モードでは、クライアント端末は、第２の監視サイクルβに従って（データチャネルでない）制御／シグナリングチャネルを監視し得、ただし、β≧αである。制御／シグナリングチャネルは、接続モードと低電力モードの両方においてまったく同様の頻度で監視され得るが、低電力モードではデータチャネルが監視されないので、（たとえば、低電力モードではチャネルのサブセットのみが監視され、および／または監視が不連続的もしくは周期的であるので）全体的な電力消費量がより低いことに留意されたい。電力節約／非アクティブモードでは、クライアント端末は、第３の監視サイクルγに従って（データチャネルおよび／または制御／シグナリングチャネルでない）ページングチャネルを監視し得、ただし、γ≧βである。
【００３８】
接続モード２０２から低電力モード２０６に切り替わる決定はクライアント端末１０２によって一方的にまたは独立して行われ得るが、データチャネル上でデータメッセージを送信するより前にＤＲＩが送られなければならないということをネットワーク１０８（アクセス端末１０６）が知るように、動作モードの変更はネットワーク１０８（アクセス端末１０６）に伝達されることに留意されたい。代替実装形態では、ネットワーク１０８（アクセス端末１０６）は、ネットワーク１０８（アクセス端末１０６）がアクティブ通信セッション内の非アクティビティ期間（たとえば、ある時間期間の間データチャネル上でデータメッセージが送られていないこと）に気づいたとき、接続モード２０２から低電力モード２０６に切り替わるようにクライアント端末１０２に指令し得る。
【００３９】
接続モード２０２において使用されるデータチャネルは、電力節約モード／非アクティブ２０４において一般に使用されるシグナリング／制御チャネルとは異なるかまたは別個のものであり得ることに留意されたい。特に、データチャネルは、様々なタイプのコンテンツ、データおよび／または制御信号を搬送し得、接続モード２０２において連続的にまたは頻繁に監視される。一方、シグナリング／制御チャネルはデータを搬送せず、一般に周期的に監視されるのみである。場合によっては、ページングチャネルは一種の制御／シグナリングチャネルと見なされ得る。図２は簡略化された状態図であり、接続モード２０２および／または電力節約／非アクティブモード２０４内で追加の状態またはサブ状態が可能であり得る（および企図される）。
【００４０】
例示的な１次通信インターフェース
１次通信インターフェース１１０の一例は、Ｗ−ＣＤＭＡ対応トランシーバなど、長距離、高電力および／または高帯域通信インターフェースであり得る。しかしながら、他の例では、そのような高電力インターフェースは、Ｗ−ＣＤＭＡ、ｃｄｍａ２０００、ＧＳＭ（登録商標）、ＷｉＭａｘ、およびＷＬＡＮを含むがこれらに限定されない、現代の通信規格に従って動作し得る。本明細書で説明する電力節約技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）など、様々なタイプのワイヤレス通信システムで実装され得る。ＣＤＭＡシステムは、広帯域ＣＤＭＡ（Ｗ−ＣＤＭＡ）、ＣＤＭＡ２０００などの無線アクセス技術（ＲＡＴ：radio access technology）を実装し得る。ＲＡＴは、無線通信のために使用される技術を指す。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などのＲＡＴを実装し得る。Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）は、ＲＡＴとしてＷ−ＣＤＭＡおよびＧＳＭを使用するシステムであり、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ＣＤＭＡ２０００は、３ｒｄ  Ｇｅｎｅｒａｔｉｏｎ  Ｐａｒｔｎｅｒｓｈｉｐ  Ｐｒｏｊｅｃｔ２（３ＧＰＰ２）と称する団体からの文書に記載されている。
【００４１】
例示的な動作モード
様々な例において、クライアント端末動作モードは、Ｅｖｏｌｕｔｉｏｎ−Ｄａｔａ  Ｏｎｌｙ（１ｘ  ＥＶ−ＤＯ）および／またはＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）などの通信規格によって定義されていることがある。図４に、異なるワイヤレス通信規格（ＥＶ−ＤＯおよびＵＭＴＳ）の動作モード階層の２つの例を示す。概して、「接続モード」は、１次通信インターフェースが、少なくとも１つまたは複数のデータチャネルを監視するために（たとえば、連続的に、周期的に電源投入される、瞬間的に電源投入される）および／またはアクティブ通信セッションを維持するために、使用可能にされるか、アクティブにされるか、または電源投入された動作状態を指す。対照的に、「電力節約／非アクティブモード」（たとえば、アイドルモードまたはスリープモード）は、１次通信インターフェースがデータチャネルを連続的に監視しないが、代わりに制御／シグナリング（たとえば、ページング）チャネルを周期的に監視する動作状態を指す。ＵＭＴＳ  ＲＲＣ状態４０２とＥＶ−ＤＯ状態４２０とに示すモードは例にすぎず、実際の実装形態は、より少ない、異なる、および／または追加のモード、状態、および／またはサブ状態を有し得ることに留意されたい。クライアント端末によって実装される実際のモード／状態に関係なく、電力を節約するために本明細書で説明する低電力モードがアクティブ通信セッション中に実装され得る。
【００４２】
一例では、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）は、クライアント端末のための様々な動作モードを定義する無線リソース制御（ＲＲＣ）を規定するエアインターフェース規格である。ＵＭＴＳ  ＲＲＣ状態４０２は、ＣＥＬＬ＿ＤＣＨ４１２とＣＥＬＬ＿ＦＡＣＨ４１４とを含む複数のサブモードを含み得る接続モード４０４を定義する。ＣＥＬＬ＿ＤＣＨ４１２およびＣＥＬＬ＿ＦＡＣＨ４１４接続モードでは、クライアント端末は、入来データメッセージについて１つまたは複数のデータチャネルを（連続的にあるいは周期的に）監視していることがある。ＣＥＬＬ＿ＤＣＨ状態４１２では、クライアント端末は、大容量データのために一般に使用される専用データチャネルを監視する。ＣＥＬＬ＿ＦＡＣＨ状態４１４では、クライアント端末は、小容量データのために一般に使用される共有順方向アクセスチャネルを監視する。対照的に、ＣＥＬＬ＿ＰＣＨ４１６およびＵＲＡ＿ＰＣＨ４１８モードでは、クライアント端末は、データチャネルでなく、ページングチャネルを監視している。したがって、ＵＭＴＳ対応クライアント端末において実装されるとき、本明細書で説明する電力節約のための低電力モードは、クライアント端末が接続モードＣＥＬＬ＿ＤＣＨ４１２およびＣＥＬＬ＿ＦＡＣＨ４１４において動作しているとき（たとえば、データチャネル上でアクティブデータ通信セッションがあるとき）に実装され得る。
【００４３】
アイドルモード４０６（たとえば、非アクティブモード）は、最も低い電力消費量を有し得る（たとえば、ページングチャネルが比較的長いチャネル監視サイクルで周期的に監視される）。一例では、ＣＥＬＬ＿ＦＡＣＨ４１４は、ＣＥＬＬ＿ＤＣＨ４１２の電力のほぼ５０パーセントを消費し、ＣＥＬＬ＿ＰＣＨ４１６は、ＣＥＬＬ＿ＤＣＨ４１２の電力消費量のわずか数パーセントを消費する。
【００４４】
再び図４を参照すると、Ｅｖｏｌｕｔｉｏｎ−Ｄａｔａ  Ｏｎｌｙ（ＥＶ−ＤＯ）は、ＣＤＭＡ２０００規格ファミリーの一部であり、アクティブモード４２２と、サスペンドモード４２４と、アイドルモード４２６と、スリープモード４２８とを含む、複数のＥＶ−ＤＯ動作状態４２０を定義する。ここでは、接続モード４２１はアクティブモード４２２を含み得る。
【００４５】
ＵＭＴＳシステムにおける例示的な低電力モード
図５に、低電力モードとともに異なるＵＭＴＳ  ＲＲＣ接続状態におけるチャネル監視の一例を示す。ＣＥＬＬ＿ＤＣＨモード５０２では、クライアント端末は、（たとえば、データメッセージと制御メッセージの両方を搬送することが可能な）専用チャネルを連続的に監視し得る。ＣＥＬＬ＿ＦＡＣＨモード５０２では、クライアント端末は、順方向アクセスチャネル（たとえば、データメッセージと制御メッセージの両方を搬送する共通ダウンリンクチャネル）を連続的に監視し得る。対照的に、ＣＥＬＬ＿ＰＣＨおよびＵＲＡ＿ＰＣＨモードでは、クライアント端末は、ページングチャネル（たとえば、制御メッセージを搬送するダウンリンク制御チャネル）を不連続受信モードで監視し得る。
【００４６】
一実装形態によれば、ＣＥＬＬ＿ＤＣＨモード５０２および／またはＣＥＬＬ＿ＦＡＣＨモード５０４からの電力節約を達成するために、低電力モード５０８も実装され得る。ネットワークおよび／またはアクセスポイントは、クライアント端末が接続モードＣＥＬＬ＿ＤＣＨおよびＣＥＬＬ＿ＦＡＣＨから低電力モード５０８に切り替わったことに気づいていることがあり、データメッセージがいつやって来るかをクライアント端末に通知するためにデータ再開インジケータ（ＤＲＩ）を使用する。発展型高速パケットアクセス（ＨＳＰＡ＋）（すなわち、３ＧＰＰリリース７において定義されているワイヤレスブロードバンド規格）が実装されるときなどの一例では、ＤＲＩは、ネットワークまたはアクセスポイントによって高速共有制御チャネル（ＨＳ−ＳＣＣＨ）（たとえば、物理レイヤチャネル）上でクライアント端末に送られ得る。この例では、クライアント端末は、ＨＳＰＡ＋に準拠し得、構成された高速ダウンリンクパケットアクセス（ＨＳＤＰＡ）および／または高速アップリンクパケットアクセス（ＨＳＵＰＡ）チャネルを有し得、（低電力モード５０８において）アクティブ通信セッション中のネットワークにおける低いアクティビティレベルにより不連続受信（ＤＲＸ：discontinuous reception）において高速共有制御チャネルを監視している。
【００４７】
クライアント端末が低電力モード５０８にある間にＤＲＩを使用することにより、クライアント端末は、順方向アクセスチャネルまたは専用チャネル上でネットワーク（またはアクセス端末）からデータ／制御情報が送られる前に、すべての通信インターフェース構成要素をフル機能に（すなわち、ＣＥＬＬ＿ＤＣＨ５０２またはＣＥＬＬ＿ＦＡＣＨモード５０４受信のために）回復するための十分な時間を与えられる。一例では、ネットワーク（またはアクセスポイント）は、次のＤＲＸサイクルにおいて来るべきデータ／制御送信をクライアント端末に示すために、ＨＳ−ＳＣＣＨにおいて予約済みビットを使用してＤＲＩを送り得る。低電力モード５０８が不連続受信（ＤＲＸ）を使用し得る間、低電力モード５０８は、ＣＥＬＬ＿ＰＣＨまたはＵＲＡ＿ＰＣＨモードにおけるページングチャネルの監視サイクルよりもかなり短い監視サイクル（たとえば、５０ミリ秒と１５０ミリ秒との間）であり得ることに留意されたい。
【００４８】
図６は、ＵＭＴＳ通信システムにおけるアクティブ通信セッション中に電力節約を達成するための、クライアント端末とアクセスポイントとの動作を示すブロック図である。クライアント端末１０２とアクセスポイント１０６との間にアクティブ通信セッション６０２が存在する。そのようなアクティブ通信セッション６０２は、アクセスポイント１０６とクライアント端末１０２との間でデータが送信されることを意味する。したがって、クライアント端末１０２は、ＣＥＬＬ＿ＤＣＨモードまたはＣＥＬＬ＿ＦＡＣＨモード６０４のいずれかで動作していることがある。アクティブ通信セッション６０２中でさえ、非アクティビティ（または拡張された非アクティビティ）期間が存在し得ることに留意されたい。したがって、通信セッション非アクティビティ６０６が検出された（たとえば、しきい値時間量の間、通信セッションデータアクティビティがない）場合、クライアント端末１０２はアクセスポイント１０６に低電力モード６０８を示し得る。そのような低電力モードインジケータ６０８を送った後、クライアント端末は低電力モード６１０に入り得る。通信セッションは依然としてアクティブであるにもかかわらず、この低電力モード６１０は生じる。その後、アクセスポイント１０６は、クライアント端末１０２の通信セッションデータ６１２を受信し得る。そのようなデータを受信すると、（クライアント端末が低電力モードにあることを知っている）アクセスポイントは、クライアント端末１０２にデータ再開インジケータ（ＤＲＩ）６１４を送る。クライアント端末１０２は、ＤＲＩを受信すると、データを受信することになることを知り、ＣＥＬＬ＿ＤＣＨまたはＣＥＬＬ＿ＦＡＣＨモード６１８に切り替わる。この例では、アクセスポイント１０６は、ＤＲＩを送った後に、固定時間オフセットの間待ち、次いで、通信セッションデータ６２０を送る。
【００４９】
図７は、ＵＭＴＳ通信システムにおけるアクティブ通信セッション中に電力節約を達成するための図６の代替形態を示すブロック図である。この例では、クライアント端末１０２は単独で低電力モードに入るのではなく、アクセスポイント１０６は、通信セッション非アクティビティ７０６を測定または監視し、クライアント端末１０２に低電力モードインジケータ７０８を送る。したがって、アクセスポイント１０６は、アクティブ通信セッション中にクライアント端末１０２が低電力モードに入るべきときを制御し得る。ここで示す別の代替的特徴は、ＤＲＩを送ることと通信セッションデータを送ることとの間の固定時間オフセットだけ待つのではなく、アクセスポイント１０６が、代わりに、通信セッションデータ６２０を送る前にクライアント端末１０２からのＤＲＩ肯定応答メッセージ７１６を待つことである。これにより、クライアント端末１０２がそれの受信機を低電力モードからＣＥＬＬ＿ＤＣＨまたはＣＥＬＬ＿ＦＡＣＨモードに回復することが可能になっていることが保証される。
【００５０】
図８に、ＵＭＴＳシステムにおける２次共通制御物理チャネル（Ｓ−ＣＣＰＣＨ）内にデータ再開インジケータがどのように実装され得るかの例を示す。低電力モードでは、クライアント端末はＳ−ＣＣＰＣＨチャネル８０２を監視していることがある。Ｓ−ＣＣＰＣＨチャネル８０２は、複数のフレームを備えるものとして示されている。この例では、第１のフレーム８０４中でデータ再開インジケータ（ＤＲＩ）が送信され、第２のフレーム８１０中で対応するデータが送信される。この例では、第２のフレーム８１０（データ）は、第１のフレーム８０４（ＤＲＩ）の送信後の時間オフセットＴbufferにおいて送信される。時間オフセットＴbufferは、事前固定されるかまたは構成可能であり得、低電力モードから接続モードに切り替わるための十分な時間をクライアント端末に与え得る。
【００５１】
Ｓ−ＣＣＰＣＨチャネル８０２中の各フレームは、複数のスロットにセグメント化され得る。ここで、第１のフレーム８０４は複数のスロット８０６を含み得、複数のスロット８０６からの第１のスロット８０７は、データ再開インジケータ（ＤＲＩ）を送信するために使用される。各スロットはさらに、複数のフィールド８０８、たとえば、トランスポートフォーマット組合せインジケータ（ＴＦＣＩ：transport format combination indicator）ビット８０９、データビット８１１、およびパイロットビット８１３によって定義され得る。この例では、データ再開インジケータ（ＤＲＩ）は、ＴＦＣＩビット８０９内の１つまたは複数のビットとして含まれ得る。データは、次いで、第２のフレーム８１０中の複数のスロット８１２からの第１のスロット８１５内で送信され得、データは、スロット８１５の複数のフィールド８１４中のデータビット８１６および／またはパイロットビット８１７に埋め込まれ得る。このようにして、アクセスポイントは、低電力モードが実装されたとき、クライアント端末にＤＲＩとデータとを与え得る。
【００５２】
図９に、発展型高速パケットアクセス（ＨＳＰＡ＋）をサポートするＵＭＴＳシステム内にデータ再開インジケータがどのように実装され得るかの例を示す。低電力モードでは、クライアント端末は高速共有制御チャネル（ＨＳ−ＳＣＣＨ）９０２を監視していることがある。この例では、ＨＳ−ＳＣＣＨ９０２は、クライアント端末によって不連続監視サイクルＴDRXに従って監視される複数の連続フレームを含み得る。たとえば、不連続監視サイクルＴDRXは４０〜３２０ミリ秒であり得る。ここで、ＨＳ−ＳＣＣＨチャネル９０２中の第１のフレーム９０６は、アクセスポイントからアクセス端末にデータ再開インジケータ（ＤＲＩ）を送るために使用され得る。ＤＲＩを送ることからの時間オフセットＴbufferの後に、対応するデータが、ＨＳ−ＳＣＣＨチャネル９０２および／または高速物理ダウンリンク共有チャネル（ＨＳ−ＰＤＳＣＨ）９０４中で送信され得る。たとえば、時間オフセットは、０と最大遅延との間にあり得、最大遅延は、クライアント端末が低電力モードからＣＥＬＬ＿ＤＣＨまたはＣＥＬＬ＿ＦＡＣＨモードに切り替わるための最大時間量である。ＨＳＤＰＡにおいて使用されるＨＳ−ＳＣＣＨチャネルタイプ１メッセージ構造９０８は、固定サイズのチャネル化コードセット（ＣＣＳ：Channelisation Code Set）ビットと、変調方式（ＭＳ：Modulation Scheme）ビットと、トランスポートブロックサイズインデックス（ＴＢサイズ）ビットとを含み得る。このタイプ１メッセージ構造９０８は、いくつかの固定値フィールドを用いてＨＳ−ＳＣＣＨオーダーメッセージ構造９１０として修正され得る。このＨＳ−ＳＣＣＨオーダーメッセージ構造９１０では、オーダータイプフィールド９１２における２つの未使用ビットと、予約済みフィールド９１４における１つの使用ビットとがある。したがって、ＤＲＩは、ＨＳ−ＳＣＣＨオーダーメッセージ構造９１０中のこれらの未使用ビット内に（オーダータイプフィールド９１２および予約済みフィールド９１４内に）埋め込まれ得る。対応するデータは、次いで、（時間オフセットＴbufferの後に）ＨＳ−ＳＣＣＨ９０２および／またはＨＳ−ＰＤＳＣＨチャネル９０４上でクライアント端末に送信され得る。時間オフセットＴbufferは、事前固定されるかまたは構成可能であり得、低電力モードから接続モードに切り替わるための十分な時間をクライアント端末に与え得る。
【００５３】
ＥＶ−ＤＯシステムにおける例示的な低電力モード
図１０に、低電力モードとともにＥＶ−ＤＯ接続状態におけるチャネル監視の一例を示す。ＥＶ−ＤＯは、個々のクライアント端末のスループットとシステム全体のスループットの両方を最大にするために多重化技法を使用し得る。ＥＶ−ＤＯは、３ｒｄ  Ｇｅｎｅｒａｔｉｏｎ  Ｐａｒｔｎｅｒｓｈｉｐ  Ｐｒｏｊｅｃｔ  ２（３ＧＰＰ２）によってＣＤＭＡ２０００規格ファミリーの一部として規格化された。アクティブモード１００２では、クライアント端末は、（たとえば、データメッセージと制御メッセージの両方を搬送することが可能な）順方向トラフィックチャネル、順方向パイロットチャネル、および／または順方向媒体アクセス制御（ＭＡＣ）チャネルを監視し得る。これらのチャネルのうちの１つまたは複数は、複数のクライアント端末間で共有され得る。一例では、各アクセス端末には、それの瞬時データレート制御（ＤＲＣ：data rate control）要求と平均スループットとに基づいてトラフィックチャネル中のタイムスロットが割り振られ得る。サスペンドモード１００４では、クライアント端末は、トラフィック（データ）チャネルをドロップし得るが、制御チャネルを連続的に監視し、それにより、いくつかのシステムリソースを維持してアクティブモード１００２への迅速な復帰を可能にし得る。
【００５４】
一例では、低電力モードは、アクセス端末が電力を節約している間に１つまたは複数のチャネルを監視するのを支援するためのプロキシデバイスが利用可能であるかどうかに応じて、複数のサブモードを有し得る。トラフィックチャネル上での送信より前にアクセス端末を起こすためにデータ再開インジケータ（ＤＲＩ）が使用され得る。ＥＶ−ＤＯでは、データ再開インジケータ（ＤＲＩ）は、いずれかの準同期制御チャネルカプセル中で（たとえば、標準スロット間隔で）、あるいは非同期制御チャネルカプセル中で（たとえば、標準間隔なしで、または必要に応じて）送られ得る。
【００５５】
プロキシデバイスが利用可能でないとき（すなわち、非プロキシモード）、クライアント端末は、（たとえば、６４個のスロットごとに）準同期制御チャネルを監視する、第１の低電力モード１００６で動作し得る。これにより、クライアント端末は、サスペンドモード１００４において制御チャネルを連続的に監視する代わりに、（たとえば、Ｎ個のスロットごとに）いくつかのスロットのみを監視することが可能になり、それによってアクセス端末の電力節約が得られる。データ再開インジケータ（ＤＲＩ）は準同期制御チャネルを介して（たとえば、Ｎ個のスロットごとに）送られ得るので、これにより、クライアント端末は、（制御チャネルを連続的に監視する代わりに）いくつかのスロットのみを監視することが可能になり得る。たとえば、Ｎは６４個のスロットであり得る。制御チャネル中のスロットのうちのいくつかのみを監視する結果として、クライアント端末は電力節約を達成し得る。したがって、アクティブモードにおいて少量の電力を保存する能力でさえ、著しい全体的な電力節約につながり、クライアント端末の動作時間、すなわち、再充電の間の時間が改善され得る。
【００５６】
プロキシデバイスが利用可能であるとき（すなわち、プロキシモード）、クライアント端末は、ＤＲＩカプセルまたはメッセージについて非同期制御チャネルを監視する、第２の低電力モード１００８で動作し得る。プロキシデバイスの支援がなければ、クライアント端末は、非同期制御チャネルを連続的に監視しなければならなくなり、したがって、有意な電力節約を達成できなくなり得ることに留意されたい。しかしながら、図１７に示すように、プロキシデバイスが利用可能であるとき、クライアント端末は、それの１次インターフェースを遮断している間に、（入来ＤＲＩカプセルの制御チャネルを含めて）クライアント端末のためにそれのチャネルを監視するためのプロキシデバイスを割り当て得る。クライアント端末は、次いで、プロキシデバイスから通信を受信するために低電力２次通信インターフェースを利用する。非同期制御チャネルの監視は２次通信インターフェース（たとえば、１次通信インターフェースに対する低電力通信インターフェース）上で実行されるので、クライアント端末は、電力節約を依然として達成しながらそれのＤＲＩカプセルを受信し得る。２次通信インターフェース上で（非同期チャネルを介して）ＤＲＩカプセルを受信すると、クライアント端末は、トラフィックチャネル上での送信を受信するためにそれの１次通信インターフェースを電源投入し得る。
【００５７】
図１１は、データオーバシグナリングを使用している間に、ＥＶ−ＤＯ通信システムにおけるアクティブ通信セッション中に電力節約を達成するための、クライアント端末とアクセスポイントとの動作を示すブロック図である。この例では、データオーバシグナリング（ＤｏＳ）が利用可能であり、したがって、ＤＲＩの送信、またデータの送信のために制御チャネルが使用され得る。たとえば、低電力モードにより、クライアント端末がそのような制御チャネルを監視することが可能になる場合、クライアント端末は、そのような制御チャネル上でもデータを受信することが可能であり得る（たとえば、制御チャネルは少量のデータのために使用され、追加のデータ転送をその後に受信するためにデータチャネルを再確立する必要はない）。クライアント端末１０２とアクセスポイント１０６との間にアクティブ通信セッション１１０２が存在し得る。通信セッション中の通信セッション非アクティビティ１１０６（たとえば、通信セッション中の短い非アクティビティ期間）により、電力節約のために、１１０８において接続が閉じられ得る。これは、アクティブモード１１０４から低電力モード１１１０への切替えを生じ得る。その後、アクセスポイント１０６が通信セッション１１１２のデータを受信し得る。アクセスポイント１０６は、次いで、データ再開インジケータ（ＤＲＩ）１１１４を送り得る。ＤＲＩを受信すると、クライアント端末１０２は、随意に、アクティブ１１１６に切り替わり得る。すなわち、低電力モードにおいてすでに監視されている制御チャネル上でデータが送られること（データオーバシグナリング）が可能な場合、クライアント端末１０２は、低電力モードにありながら（すなわち、アクティブモードに切り替え復帰する必要なしに）データを受信し得る。アクセスポイント１０６は、データをデータオーバシグナリングメッセージとして送ることになるかどうかを示すためにもＤＲＩメッセージ１１１４を使用し得る。クライアント端末１０２は、データを受信する準備ができていることを示すためにアクセスポイント１０６にＤＲＩ肯定応答１１１８を送り得る。ＤＲＩ肯定応答１１１８を受信すると、アクセスポイント１０６は、たとえば、データのショートバーストのためにデータオーバシグナリング（ＤｏＳ）メッセージ１１２０を使用して、クライアント端末１０２にデータを送る。ＤｏＳメッセージ１１２２を受信すると、クライアント端末１０２は、アクセスポイント１０６にＤｏＳ肯定応答１１２４を送り得る。この方法はまた、大量のデータがあるとき、トラフィックチャネルをセットアップするのは若干時間がかかるので使用され得る。この方法によってより良いユーザエクスペリエンスが可能になり、トラフィックチャネルがセットアップされると、データはもはや制御チャネル上でＤｏＳメッセージとして搬送されなくなる。
【００５８】
図１２は、ＥＶ−ＤＯ通信システムにおけるアクティブ通信セッション中に電力節約を達成するための、クライアント端末とアクセスポイントとの動作を示すブロック図である。この例では、データオーバシグナリング（ＤｏＳ）が利用不可能であり、したがって、データチャネルまたはトラフィックチャネル上で行われるデータ送信は、初期データパケットがＤｏＳメッセージとして送られたときでも、データ転送のために確立される必要がある。図１１の場合と同様に、クライアント端末１０２とアクセスポイント１０６との間にアクティブ通信セッション１１０２が存在し得、クライアント端末１０２とアクセスポイント１０６との間の接続（たとえば、データチャネル）は、非アクティビティのために閉じられる。アクセスポイント１０６がクライアント端末１０２のデータ１１１２を受信すると、アクセスポイント１０６はデータ再開インジケータ１１１６を送る。ここで、クライアント端末１０２は、アクセスポイント１０６とのデータチャネルを再確立するために、低電力モード１１１０からアクティブモード１１１６に切り替わる。したがって、ＤＲＩ肯定応答は接続要求１２１８をも含み得る。次いで、トラフィック（データ）チャネル割当て１２２０がアクセスポイント１０６によって送られ、１２２２において、クライアント端末１０２によって肯定応答され得る。アクセスポイント１０６は、次いで、確立されたトラフィック（データ）チャネル上でクライアント端末１０２に通信セッションデータ１２２４を送り得る。
【００５９】
アクティブ通信セッション中の低電力モードをもつ例示的なクライアント端末
図１３は、データ再開インジケータを使用することによるアクティブ通信セッション中の電力節約のために構成されたクライアント端末の例のブロック図である。クライアント端末１３０２は、ワイヤレス通信インターフェース１３０６に結合された、小型および／または低電力マイクロプロセッサなどの処理回路１３０４を含み得る。ワイヤレス通信回路１３０６は、トランシーバ、送信機、受信機、および／またはワイヤレス通信に好適な他のタイプの通信回路もしくはデバイスを含み得る。ワイヤレス通信インターフェース１３０６により、クライアント端末１３０２は、たとえば、ネットワークアクセスポイント１３１８への／からのリンクを介して、ワイヤレスネットワーク上のデバイスと通信することが可能になる。たとえば、ワイヤレス通信インターフェース１３０６は、ＵＴＭＳおよび／またはＥＶ−ＤＯネットワークと互換性があり得る。処理回路１３０４はまた、データを記憶するメモリ／ストレージデバイス１３０８に結合され得る。さらに、処理回路１３０４は、さらに、キーパッド１３１２および／またはオーディオ入力デバイス１３１６（たとえば、マイクロフォン）などの１つまたは複数の入力デバイスと、ディスプレイ１３１０およびオーディオ出力デバイス１３１４（たとえば、スピーカー）などの１つまたは複数の出力デバイスとに結合され得る。クライアント端末１３０２は、内部電源１３２０（たとえば、バッテリー）によって電力供給され得、そのような電源が供給することができる電力量は限られている。
【００６０】
クライアント端末１３０２は、ネットワークアクセスポイントへの／からのリンク１３１８を介した通信セッション中の非アクティビティ期間中に低電力モードを使用することによって改善された電力節約を達成するように構成され得る。（たとえば、クライアント端末がデータメッセージ、ＶｏＩＰパケット、ビデオパケットなどを受信している）通信セッション中に、（たとえば、データメッセージが受信されない）短い非アクティビティ期間が存在し得る。したがって、クライアント端末は（たとえば、処理回路１３０４およびワイヤレス通信インターフェース１３０６など、それの構成要素のうちの１つまたは複数を通して）、ワイヤレス通信インターフェース１３０６がデータまたはトラフィックチャネルを実質的に連続的に、または完全に監視する（たとえば、連続監視）、接続モードと、データ再開インジケータ（ＤＲＩ）について少なくとも制御チャネルが不連続的／周期的に監視される、低電力モードとの間で切り替わるように構成され得る。低電力モード中に、ワイヤレス通信インターフェース１３０６は、切断／非アクティブモード（たとえば、アイドルモードまたはスリープモード）において本来なら監視されたであろうよりも頻繁に制御チャネルを監視または走査していることがあることに留意されたい。クライアント端末の動作モードまたは状態（たとえば、接続モードまたは低電力モード）は、ワイヤレス通信インターフェース１３０６が通信しているアクセスポイントに知られ得る。これにより、アクセスポイントは、アクセスポイントが、確立されたデータ／トラフィックチャネルを介してクライアント端末１３０２にデータメッセージを送ることができるかどうか、または、アクセスポイントが、通信セッションの一部としてデータメッセージを送るより前にクライアント端末１３０２に通知するためのデータ再開インジケータ（ＤＲＩ）を使用すべきであるかどうかを知ることが可能になる。いくつかの事例（たとえば、ショートデータバースト）では、クライアント端末１３０２は、低電力モードにある間に（たとえば、接続モードに切り替わるかまたはデータ／トラフィックチャネルをセットアップする必要なしに）、制御チャネルを介してデータメッセージをデータオーバシグナリングメッセージとして受信し得る。他の事例では、ＤＲＩを受信すると、クライアント端末１３０２は、それのワイヤレス通信インターフェース１３０６が、それの通信セッションの一部としてアクセスポイントからの１つまたは複数のデータメッセージについてデータ／トラフィックチャネルを監視するように、接続モードに切り替わり得る。接続モードから低電力モードに切り替わる決定は、（クライアント端末１３０２のデータ／トラフィックチャネルにおける非アクティビティに気づいたときに）クライアント端末１３０２によって行われ得、クライアント端末１３０２は、次いで、動作モード変更をアクセスポイントに通知するか、または、その決定は、（通信セッションデータ／トラフィックチャネルにおける非アクティビティに気づいたときに）アクセスポイントによって行われ得、アクセスポイントは、次いで、低電力モードに切り替わるようにクライアント端末に命令することに留意されたい。
【００６１】
図１４に、アクティブ通信セッション中の電力節約のためにクライアント端末において動作可能な方法を示す。１４０２において、クライアント端末とアクセスポイントとの間の通信セッションを確立する。１４０４において、通信セッション中にデータチャネルを使用してクライアント端末を接続モードで動作させ、クライアント端末の動作モードはアクセスポイントに知られる。データチャネルにおける非アクティビティ期間１４０６（しきい値時間量の間の非アクティビティ）の後に、１４０８において、通信セッションがアクティブなままである間に、クライアント端末を（接続モードから）低電力モードに切り替える。低電力モードにおいて、電力を節約するために、制御チャネルは不連続的に監視され得、データチャネルは監視されなくてよい。したがって、低電力モードでは、クライアント端末は、接続モードの際よりも少ない電力を消費する。一例では、ワイヤレス通信インターフェースは、非アクティビティ期間がしきい値時間量を超えたと判断し、次いで、独立して低電力モードに切り替わり得る。しきい値時間量は、接続モードからクライアント端末の典型的な電力節約／非アクティブモードへの切替えを通常にトリガするであろう時間量よりも短くなり得ることに留意されたい。クライアント端末は、次いで、クライアント端末が低電力モードに切り替わっていることを示すメッセージをアクセスポイントに送り得る。代替実装形態では、クライアント端末（たとえば、ワイヤレス通信インターフェース）は、クライアント端末を低電力モードに切り替わらせるメッセージをアクセスポイントから受信し得る。
【００６２】
低電力モードでは、クライアント端末は、１４１０において、アクセスポイントからのデータ再開インジケータについて制御チャネルを監視し、データ再開インジケータは、通信セッションのデータの送信より前にアクセスポイントによって送られる。一例では、データ再開インジケータと通信セッションのデータとは、固定時間オフセットにおいて受信され、それにより、低電力モードから接続モードに切り替わるための時間がクライアント端末に与えられる。固定時間オフセットは、あらかじめ決定されるか、またはアクセスポイントによってクライアント端末に通信され得る。代替手法では、クライアント端末は、データ再開インジケータの受信に応答して、アクセスポイントにデータ再開インジケータ肯定応答を送り得、通信セッションのデータは、データ再開インジケータ肯定応答の受信の後にのみアクセスポイントによって送信される。
【００６３】
１４１２において（制御チャネル上で）データ再開インジケータが受信された場合、クライアント端末は、１４１４において、クライアント端末がデータチャネルを監視する、接続モードに切り替わる。クライアント端末は、その後、１４１６において、データチャネル上でアクセスポイントからデータ送信を受信する。
【００６４】
代替実装形態では、クライアント端末は、低電力モードで動作している間に、データ送信が制御チャネル上で受信され得るので、接続モードに切り替わらなくてよい。これは、たとえば、送信されるべきデータが少量しかなく、送信のために制御チャネルが使用され得る（すなわち、データオーバシグナリング）場合に起こり得る。この事例では、動作モードの変更が必要でない場合、アクセスポイントは、直ちに（たとえば、データ再開インジケータの送信後に）制御チャネル上でデータをクライアント端末に送信し得る。
【００６５】
一例では、ワイヤレス通信インターフェースは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）エアインターフェース規格と互換性があり得、接続モードは、無線リソース制御（ＲＲＣ）セル専用チャネル（ＣＥＬＬ＿ＤＣＨ）モードまたはセル順方向アクセスチャネル（ＣＥＬＬ＿ＦＡＣＨ）モードのうちの１つであり得る。たとえば、ワイヤレス通信インターフェースは発展型高速パケットアクセス（ＨＳＰＡ＋）を実装し得、制御チャネルは高速共有制御チャネル（ＨＳ−ＳＣＣＨ）である。
【００６６】
別の例では、ワイヤレス通信インターフェースはＥｖｏｌｕｔｉｏｎ−Ｄａｔａ  Ｏｎｌｙ（ＥＶ−ＤＯ）エアインターフェース規格と互換性があり得、接続モードはアクティブモードであり得る。たとえば、制御チャネルは、クライアント端末がいくつかの制御チャネルスロットのみを監視することを可能にする準同期制御チャネルであり得る。
【００６７】
アクティブ通信セッション中にアクセス端末において低電力モードを可能にするように構成された例示的なアクセスポイント
図１５は、データ再開インジケータを使用することによってアクティブ通信セッション中にアクセス端末において電力節約を可能にするように構成されたアクセスポイントの例のブロック図である。アクセスポイント１５０２は、メモリデバイス１５１４、通信ネットワークインターフェース１５０６、および／またはワイヤレス通信インターフェース１５１０に結合された処理回路１５０４を含み得る。通信ネットワークインターフェース１５０６により、アクセスポイント１５０２は、たとえば、１つまたは複数のネットワークおよび／または宛先デバイス上での通信を可能にするために、通信ネットワーク１５０８への／からのリンクを使用してバックホールネットワーク上で通信することが可能になり得る。ワイヤレス通信回路１５１０は、トランシーバ、送信機、受信機、および／またはワイヤレス通信に好適な他のタイプの通信回路もしくはデバイスを含み得る。ワイヤレス通信インターフェース１５１０により、アクセスポイントは、たとえば、ネットワークアクセスポイント１５１２への／からのリンクを介して、ワイヤレスネットワーク上で１つまたは複数のクライアント端末と通信することが可能になる。アクセスポイント１５０２は、データチャネル上でクライアント端末との通信セッションを有し得る。ただし、データチャネルにおいて非アクティビティ期間（たとえば、しきい値時間量よりも長い非アクティビティ）が存在する場合、処理回路１５０４は、（ａ）クライアント端末が接続モードから低電力モードに切り替わっているという指示をクライアント端末から受信すること、または（ｂ）接続モードから低電力モードに切り替わるべきであるという指示をクライアント端末に送ることのいずれかを行うように適応され得る。通信セッションが依然としてアクティブであるので、アクセスポイントは通信セッションのリンクおよび／または接続を有効な状態に保ち得る。低電力モード中に、アクセスポイントは、クライアント端末がデータチャネルを監視していないが、クライアント端末が代わりに制御チャネルを不連続的に監視していることを知る。その後、（たとえば、通信ネットワークインターフェース１５０６を介して）通信セッションのデータが受信された場合、アクセスポイント１５０２は制御チャネル上でデータ再開インジケータ（ＤＲＩ）を送り得る。ＤＲＩを送ることからの時間オフセットの後に、アクセスポイントはデータチャネル上でデータを送り得る。代替的に、データの量が比較的少ない場合、アクセスポイントは、単に制御チャネル上でデータを送り得る（データオーバシグナリング）。さらに別の代替形態では、アクセスポイント１５０２は、データチャネル上でデータを送信するより前に、クライアント端末からのＤＲＩに対する肯定応答を待ち得る。
【００６８】
図１６に、通信セッション中にクライアント端末における電力節約を可能にするためにアクセスポイントにおいて動作可能な方法を示す。１６０２において、アクセスポイントとアクセス端末との間の通信セッションを確立する。アクセスポイントは、１６０４において、通信セッション中にデータチャネル上でクライアント端末にデータメッセージをワイヤレスに送る。アクセスポイントは、次いで、１６０６において、データチャネル上での非アクティビティによりクライアント端末が低電力モードに切り替わったかどうかを判断する。第１の随意の特徴によれば、アクセスポイントは、クライアント端末が低電力モードに切り替わっていることを示すメッセージをクライアント端末から受信し得る。代替的に、第２の随意の特徴によれば、アクセスポイントは、（ａ）データチャネルが、しきい値時間量の間、非アクティブであったと判断し得、したがって、（ｂ）１６０８において、クライアント端末が低電力モードに切り替わるべきことを示すメッセージをクライアント端末に送り得る。
【００６９】
アクセス端末は、次いで、１６１０において、クライアント端末に宛てられたデータについてネットワーク（たとえば、通信ネットワーク）を監視する。１６１２において通信セッションのデータが受信された場合、アクセス端末は、１６１４において、通信セッションのための追加のデータの送信より前に、制御チャネル上でクライアント端末にデータ再開インジケータを送る。アクセス端末は、次いで、１６１６において、データ再開インジケータを送ることからの固定時間オフセットの後にデータチャネル上でクライアント端末にデータを送る。たとえば、データは、データ再開インジケータを送ることからの固定時間量の後に送信され得る。代替的に、データは、クライアント端末からのデータ再開インジケータ肯定応答がアクセスポイントによって受信された後にのみ送られ得る。いくつかの実装形態では、データは、データチャネル上でクライアント端末に送られ得る。他の実装形態では、データは、制御チャネル上でクライアント端末に送られ得る（たとえば、データオーバシグナリング）。
【００７０】
プロキシデバイスのデータ再開インジケータ（ＤＲＩ）
図１７に、プロキシデバイスが存在し、クライアント端末における電力節約を可能にするためにデータ再開インジケータを実装するように構成され得る動作環境を示す。たとえば、クライアント端末は、電力を節約するために（前に説明したように）接続モードから低電力モードに切り替わり得るが、プロキシデバイスの支援を受けてさらなる電力節約が達成され得る。すなわち、低電力モードにおいて（クライアント端末１０２の１次通信インターフェース１１０を介して）データ再開インジケータについて制御チャネルを不連続的／周期的に監視するのではなく、クライアント端末１０２は、プロキシモードに切り替わり得、それの１次通信インターフェース１１０を電源切断する（たとえば、電力節約／非アクティビティモードに入る）。代わりに、クライアント端末１０２は、それの制御チャネルおよび／またはデータチャネルを監視するためにプロキシデバイス１７０４に依拠する。したがって、クライアント端末１０２は、ただ低電力モードで動作することに勝るさらなる電力節約を達成し得る。
【００７１】
この実装形態では、クライアント端末１０２は、プロキシデバイス１７０４と通信するために使用される２次通信インターフェース１７１４を含み得る。プロキシデバイス１７０４は、１次通信インターフェース１７１２と、２次通信インターフェース１７１６とを含み得る。
【００７２】
一例では、クライアント端末１０２は、クライアント端末１０２が接続モードから（たとえば、アイドル／スリープモードなど、電力節約／非アクティブモードと同様の）プロキシモードに切り替わっている間に、アクセスポイント／ネットワーク１０６からの入来データについてクライアント端末１０２の（１つまたは複数の）データチャネルを監視するように、プロキシデバイス１７０４がクライアント端末１０２のプロキシとして働くことを要求し得る。プロキシモードでは、クライアント端末１０２は、電力を節約するためにそれの１次通信インターフェース１１０をオフにし得る。１次通信インターフェース１１０がオフにされるので、クライアント端末１０２は、もはやアクセスポイント１０６からのデータを監視および／または受信することが可能でない。しかしながら、プロキシデバイス１７０４は、それの１次通信インターフェース１７１２を介してクライアント端末１０２のために（１つまたは複数の）制御および／またはデータチャネルを監視する。１次通信インターフェース１１０および１７１２は長距離通信リンク１１８および１２２のために使用され得るが、２次通信インターフェース１７１４および１７１６は短距離通信リンク１２０のために使用され得ることに留意されたい。
【００７３】
一実装形態によれば、クライアント端末１０２は電力節約のためにプロキシモードで動作している（たとえば、１次通信インターフェース１１０上で制御チャネルまたはデータチャネルのいずれかを監視しない）が、アクセスポイント１０６は、クライアント端末１０２が低電力モードで動作していると考え得る。すなわち、クライアント端末１０２は低電力モードで動作しているとアクセスポイント１０６に広告していることがあるが、クライアント端末１０２は、その後、プロキシデバイス１７０４とのプロキシ関係に入っていることがあり、そのプロキシ関係において、クライアント端末１０２は、より多くの電力を節約するためにそれの１次通信インターフェースをオフにする（たとえば、アクセスポイント１０６によって予想されるデータチャネルまたは制御チャネルを監視しない）。アクセスポイント１０６は、クライアント端末１０２が低電力モードで動作していると依然として考えるので、アクセスポイント１０６は、データチャネル上でクライアント端末１０２の通信セッションのための実際のデータを送信するより前に、制御チャネル上でデータ再開インジケータを送信し得る。この事例では、プロキシデバイス１７０４は、１次通信インターフェース１７１２を通してデータ再開インジケータを受信し、２次通信インターフェース１７１６上でそのデータ再開インジケータをクライアント端末１０２に送る。２次通信インターフェース１７１４を介してデータ再開インジケータを受信すると、クライアント端末１０２は、データチャネル上でデータ送信を受信するためにそれの１次通信インターフェース１１０をアクティブにするかまたは電源投入し得る。一例では、短距離リンク１２０は、プロキシデバイス１７０４からの入来ＤＲＩ通知についてクライアント端末１０２の２次通信インターフェース１７１４によって連続的に監視される非同期チャネルを含み得る。
【００７４】
別の実装形態では、クライアント端末１０２は電力節約のためにプロキシモードで動作している（たとえば、１次通信インターフェース１１０上で制御チャネルまたはデータチャネルのいずれかを監視しない）が、アクセスポイント１０６は、クライアント端末１０２が接続電力モードで動作していると考え得る。すなわち、クライアント端末１０２は、クライアント端末１０２がプロキシモードに切り替わったことをアクセスポイントに通知していないことがある。したがって、アクセスポイント１０６は、最初にデータ再開インジケータを送ることなしに、データチャネル上でクライアント端末１０２の通信セッションのデータを送信する。しかしながら、プロキシデバイス１７１２が、（たとえば、それの１次通信インターフェース１７１２を介して）アクセスポイント１０６からのデータ送信を受信し、バッファする。そのようなデータを受信すると、プロキシデバイス１７１２は、２次通信インターフェース１７１６上でクライアント端末にデータ再開インジケータを送り得る。したがって、プロキシデバイスは、それ自体のデータ再開インジケータを生成している。クライアント端末１０２において（それの２次通信インターフェース１７１４を介して）データ再開インジケータを受信すると、クライアント端末１０２は、接続モードに切り替わり得、１次通信インターフェース１１０上でプロキシデバイス１７０４からのデータを受信することができる。代替的に、プロキシデバイスは、２次通信インターフェース１７１６上でクライアント端末１０２にデータを送り得る。
【００７５】
例示的なプロキシデバイス
図１８は、クライアント端末における電力節約を可能にするためにクライアント端末のためのプロキシとして働くように構成されたプロキシデバイスの例のブロック図である。プロキシデバイス１８０２は、処理回路１８０４と、１次通信インターフェース１８０６と、２次通信インターフェース１８０８とを含み得る。１次通信インターフェース１８０６は、第１のワイヤレス通信リンク１８１０を介してプロキシデバイス１８０２をアクセスポイントに通信可能に結合する。たとえば、１次通信インターフェース１８０６は、ＣＤＭＡ対応ネットワーク上などで、長距離通信のために使用される高電力インターフェースであり得る。２次通信インターフェース１８０８は、プロキシデバイス１８０２をクライアント端末に結合するために使用され得る。たとえば、２次通信インターフェース１８０８は、Ｂｌｕｅｔｏｏｔｈ（登録商標）対応ネットワーク上などで、短距離通信のために使用される低電力インターフェースであり得る。
【００７６】
１つの動作モードでは、プロキシデバイス１８０２は、それの１次通信インターフェース１８０６を介して、クライアントプロキシリスト１８１４上で特定されたクライアント端末のデータチャネルを監視するように構成され得る。すなわち、プロキシデバイス１８０２は、１つまたは複数のクライアント端末のためのプロキシとして働くことに同意していることがある。クライアントプロキシリスト１８１４は、処理回路１８０４によってメモリ中に維持され、１次通信インターフェース１８０６および／または２次通信インターフェース１８０８と共有され得る。そのようなプロキシモードでは、プロキシデバイス１８０２は、それの１次通信インターフェース１８０６を使用して、そのプロキシとしてプロキシデバイス１８０２が働くことに同意したクライアント端末に関連する（１つまたは複数の）データチャネルを監視し得る。制御および／またはチャネルにおいてデータ再開インジケータが受信された場合、プロキシデバイス１８０２は、対応するクライアント端末１８１２へのリンクを介して第２の通信インターフェース１８０８を通してデータ再開インジケータを送り得る。データ再開インジケータを送る際に、プロキシデバイス１８０２は、そのデータ再開インジケータを（１次通信インターフェース１８０６に関連する）第１のプロトコルから（２次通信インターフェース１８０８に関連する）第２のプロトコルに変換し得る。データ再開インジケータを転送した後に、プロキシデバイスはまた、同じクライアント端末のための１つまたは複数の受信データメッセージを転送し得る。
【００７７】
図１９は、クライアント端末の通信ネットワークがＤＲＩをサポートするとき、クライアント端末における電力節約を可能にするためにプロキシデバイスにおいて動作可能な方法を示す流れ図である。クライアント端末が、アクセスポイントとの継続中であるか確立された通信セッションを有し得る。その後、１９０２において、プロキシデバイスがクライアント端末からプロキシ要求を受信する。プロキシ要求は、クライアント端末識別子、ならびにクライアント端末に関連する１つまたは複数のデータおよび／または制御チャネルを含み得る。一例では、プロキシ要求は、通信セッションが依然としてアクティブまたは有効である間に受信され得ることに留意されたい。一例では、プロキシ要求は、クライアント端末が低電力モードで動作している間に受信され得る。そのようなプロキシ要求は、プロキシデバイスの１次通信インターフェースまたは２次通信インターフェースのいずれかの上で受信され得る。次いで、１９０４において、クライアント端末識別子と、クライアント端末に関連する１つまたは複数のデータおよび／または制御チャネルと、クライアント端末のためにそれらのチャネルを監視するための対応するパラメータとを、プロキシデバイス上のクライアントプロキシリストに追加する。プロキシデバイスがクライアント端末のプロキシ要求の受け付けると、クライアント端末は、クライアント端末がもはやそれの通信セッションについてデータおよび／または制御チャネルを監視しない、電力節約モードに切り替わり得る。一実施形態では、非アクティビティによりクライアント端末がすでにＤＲＩを監視している場合、クライアント端末は、プロキシデバイスがＤＲＩ監視を引き継ぐことができるように、クライアント端末がＤＲＩを監視していることをプロキシデバイスに通知し得る。別の実施形態では、プロキシデバイスは、すべての関連するクライアント端末のＤＲＩを連続的に監視し、プロキシデバイスがあるクライアント端末のＤＲＩを受信したとき、適切な端末に通知し得る。
【００７８】
一例では、プロキシデバイスは、次いで、１９０６において、１次通信インターフェースを介してクライアント端末の制御チャネル上で、前に確立された通信セッションのための追加の入来データを示すデータ再開インジケータを監視またはリッスンする。別の例では、プロキシデバイスはまた、１９０７において、１次通信インターフェースを介してクライアント端末のデータチャネル上で、前に確立された通信セッションに関連するデータを監視またはリッスンする。
【００７９】
プロキシデバイスは、１９０８において、データまたはデータ再開インジケータが受信され、プロキシリスト上のクライアント端末に宛てられているかどうかを判断する。クライアント端末のためのデータまたはデータ再開インジケータが受信されない場合、プロキシデバイスは、データおよび／またはデータ再開インジケータを監視またはリッスンし続け得る。プロキシデバイスがクライアント端末のためのデータまたはデータ再開インジケータを受信した場合、プロキシデバイスは、１９１０において、前に確立された通信の再開のために、それの２次通信インターフェースを介してクライアント端末にデータ再開インジケータを送る。プロキシデバイスは、次いで、１９１２において、入来データについてそれの１次通信インターフェース上でクライアント端末のデータチャネルを監視し得る。データを受信すると、プロキシデバイスはそのデータをクライアント端末１９１４に転送し得る。たとえば、データメッセージは、１次通信インターフェースまたは２次通信インターフェースのいずれかを介して転送され得る。
【００８０】
ネットワークからＤＲＩが入手可能でない場合でも、プロキシデバイスは、クライアント端末が電力節約を達成するのを支援し得ることに留意されたい。すなわち、プロキシデバイスは、データチャネル上で入来データを監視し、そのデータをバッファし得る。プロキシデバイスは、次いで、（前のＤＲＩをクライアント端末に送ることを行ってまたは行わずに）バッファされたデータをクライアント端末に送り得る。
【００８１】
１つの特徴によれば、プロキシデバイスはまた、第２の通信インターフェース上でクライアント端末からデータ再開インジケータ肯定応答を受信し得る。プロキシデバイスは、次いで、第１の通信インターフェースを介してアクセスポイントにデータ再開インジケータ肯定応答を送信し得る。
【００８２】
図２０は、データ再開インジケータおよび／またはプロキシデバイスを使用した電力節約のためにクライアント端末において動作可能な方法を示す流れ図である。この方法は、図１４に示した方法と同様であり得るが、プロキシを使用することによってさらなる電力節約が見込まれる。クライアント端末は、２００２において、（たとえば、クライアント端末の１次通信インターフェースを介して）データチャネル上でアクセスポイントとの通信セッションを確立している。クライアント端末のデータチャネル上での非アクティビティ期間の後に、クライアント端末は、２００４において、通信セッションが依然としてアクティブであるかまたは有効である間に低電力モードに入っている。アクセスポイントは、クライアント端末が現在低電力モードで動作しているという知識を有することに留意されたい。したがって、アクセスポイントは、データチャネル上で通信セッションのための追加のデータの送信を試みるより前に、制御チャネル上でデータ再開インジケータを送るように構成され得る。
【００８３】
その後、クライアント端末は、２００６において、さらなる電力節約を求めるために低電力モードから切り替わるべきかどうかを決定する。低電力モードから切り替わる前に、クライアント端末は、２００８において、クライアント端末がそれの１次通信インターフェースを電源切断している間にプロキシデバイスがクライアント端末のためにデータおよび／または制御チャネルを監視する、プロキシモードに入ることを決定する。したがって、プロキシデバイスは、今や、クライアント端末の通信セッションに関連するデータ再開インジケータについて制御チャネルを監視する。今度は、クライアント端末は、２０１０において、プロキシデバイスからのデータ再開インジケータの受信について２次通信インターフェースを監視する。２０１２においてプロキシデバイスによって２次通信インターフェース上でデータ再開インジケータが受信された場合、クライアント端末は、２０１４において、データチャネル上で通信セッションの入来データを受信するために接続モードに切り替わり得る。
【００８４】
代替実装形態では、プロキシデバイスは、データ再開インジケータが受信されたとき、クライアント端末がそれのプロキシモードからウェイクアップすべきかどうかを決定し得る。予想されるデータの量が比較的小さい場合、プロキシデバイスは、（たとえば、クライアント端末の１次通信インターフェースをウェイクアップすることなしに）単にデータをバッファするかまたは２次通信インターフェース上でデータを送り得る。そうではなく、予想されるデータの量が比較的大きい場合、プロキシデバイスは、クライアント端末がそれのデータチャネル上で後続のデータを受信することができるように、クライアント端末の１次通信インターフェースがアクティブにされる（たとえば、接続モードに切り替わる）ようにクライアント端末にデータ再開インジケータを送り得る。クライアント端末がそれの１次通信インターフェースをアクティブにした場合、クライアント端末は、１次通信インターフェースを介してアクセスポイントとの接続を再確立し得る、すなわち、前に確立された通信セッションを再開し得る。
【００８５】
一体型プロキシデバイスをもつ例示的なフェムトアクセスポイント
いくつかの実装形態では、プロキシデバイスの機能は、クライアント端末またはアクセスポイントに一体化され得る。たとえば、アクセスポイントは、サービスされている端末と通信するために通常使用される１次通信インターフェースと、サービスされているクライアント端末の２次通信インターフェースに適合する２次通信インターフェースの両方を有し得る。この特定の構成では、２次通信インターフェースは（一般に電力供給が豊富である）アクセスポイント上に配置されるので、それの２次通信インターフェースの動作する送信レンジを、そのような通信インターフェースの典型的な送信レンジを超えて増加させることが可能であり得る。このようにして、アクセスポイントは、それの２次通信インターフェース上で、１次通信インターフェースを遮断したサービスされているクライアント端末の対応する２次通信インターフェースに、データメッセージを転送することが可能であり得る。
【００８６】
フェムトセルは、クライアント端末のデータをバッファし、クライアント端末が監視しているそれの２次通信インターフェースを使用してデータ再開インジケータを送り得る。クライアント端末は、電力消費量をより低くするために、Ｂｌｕｅｔｏｏｔｈなどのワイヤレスリンクまたは区域外（out-of-bound）無線上で２次通信インターフェースを監視していることがある。実際のデータは、クライアント端末が低電力モードから出て、それのアクティブ／ライブ通信セッションのためのデータ／トラフィックチャネルを確立するための十分な時間を可能にする（固定のあるいは構成可能な）オフセットの後に送られ得る。データの量がより少ない場合、データはまた、フェムトセルからクライアント端末にデータオーバシグナリング（ＤｏＳ）メッセージとして送られ得る。
【００８７】
例示的なフェムトアクセスポイント（ＥＶ−ＤＯ）  −  図２１は、クライアント端末のためのプロキシとして動作し、それにより、ＣＤＭＡ  １ｘ  Ｅｖｏｌｕｔｉｏｎ−Ｄａｔａ  Ｏｎｌｙ（ＥＶ−ＤＯ）を使用してクライアント端末における電力節約を可能にするためのプロキシデバイス機能を組み込むフェムトアクセスポイントの例を示すブロック図である。フェムトアクセスポイントは、一般に自宅または中小企業における使用のために設計された小型セルラー基地局である。フェムトアクセスポイント２１００は、（たとえば、ＤＳＬまたはケーブルなどのブロードバンド接続を介して）１つまたは複数のクライアント端末２１０６をサービスプロバイダネットワーク２１０１に／から接続するために使用され得る。フェムトセル２１００は、第１の通信インターフェース／回路２１０２と、第２の通信インターフェース／回路２１０３とを含むことができる。第１の通信インターフェース／回路２１０２は、ＥＶ−ＤＯアーキテクチャに準拠し得、すなわち、物理レイヤ（ＰＨＹ）と、ＭＡＣレイヤと、データをバッファし得る（ネットワークとクライアント端末との間でシグナリングメッセージを搬送するための）シグナリングプロトコルレイヤと、ポイントツーポイントプロトコル（ＰＰＰ）およびインターネットプロトコルレイヤとを有するプロトコルスタックを含む。シグナリングプロトコルレイヤおよび／またはリンクレイヤは、シグナリングネットワークプロトコル（ＳＮＰ：Signaling Network Protocol）、シグナリングリンクプロトコル（ＳＬＰ：Signaling Link Protocol）および／または無線リンクプロトコル（ＲＬＰ：Radio Link Protocol）を含み得る。
【００８８】
第１の通信インターフェース２１０２は第２の通信インターフェース２１０３に結合され得る。第２の通信インターフェース２１０３は、フェムトアクセスポイント２１００がクライアント端末２１０６と通信することを可能にする、Ｂｌｕｅｔｏｏｔｈホスト回路などのホスト回路２１０４を含み得る。第１の通信インターフェース２１０２と第２の通信インターフェース２１０３との間でデータおよびタスクシグナリングを交換するためにネイティブオペレーティングシステム（ＯＳ）プロセス間通信（ＩＰＣ：Inter-process communication）２１１０が使用され得る。ホスト２１０４は、Ｂｌｕｅｔｏｏｔｈシリアルポートプロファイル（ＳＰＰ：serial port profile）アプリケーション（ＡＰＰ）２１０８などの低電力インターフェースを含み得る。
【００８９】
クライアント端末２１０６は、物理レイヤ（ＰＨＹ）と、ＭＡＣレイヤと、シグナリングプロトコルレイヤおよび／またはリンクレイヤ（信号ネットワークプロトコル（ＳＮＰ）／シグナリングリンクプロトコル（ＳＬＰ）／無線リンクプロトコル（ＲＬＰ）を含む）と、ポイントツーポイントプロトコル（ＰＰＰ）およびインターネットプロトコルレイヤとを有するプロトコルスタックを含む第１の通信インターフェース２１１６を含み得る。クライアント端末はまた、Ｂｌｕｅｔｏｏｔｈ（ＢＴ）ホストコントローラ２１２０によって制御され得る、Ｂｌｕｅｔｏｏｔｈ（ＢＴ）シリアルポートプロファイル（ＳＰＰ）アプリケーション（ＡＰＰ）など、低電力インターフェースを含む第２の通信インターフェース２１１８を含み得る。第１の通信インターフェースと第２の通信インターフェースとは互いに通信していることがある。
【００９０】
クライアント端末２１０６が電力を節約することを望むとき、それの第２の通信インターフェース２１１８（たとえば、ＢＴホストコントローラ２１２０）は、それの（１つまたは複数の）データチャネルおよび／またはクライアントＩＤを送ることによってそれのプロキシとして動作するようにフェムトアクセスポイント２１００を要求するプロキシ要求２１０７を、（たとえば、ＢＴホストコントローラ２１２２を介して）フェムトアクセスポイント２１００の第２の通信インターフェース２１０３に送り得る。クライアントＩＤを使用して、プロキシフェムトアクセスポイント２１００は、次いで、それのプロキシリストにクライアント端末２１０６のクライアントＩＤを追加し、情報の受信に肯定応答するためにクライアント端末２１０６に肯定応答を送り得る。肯定応答を受信した後に、クライアント端末２１０６は、それの第１の通信インターフェース２１１６（たとえば、ＷＷＡＮインターフェース）を接続モードから電力節約モード（たとえば、アイドル、スリープ、またはオフ状態）に切り替え得る。フェムトアクセスポイント２１００は、今や、第１の通信インターフェース２１１６が停止されており、第２の通信インターフェース２１１８を介してクライアント端末２１０６に連絡しなければならないということを知る。
【００９１】
その後、クライアント端末２１０６に宛てられたデータが、ネットワーク２１０１から第１の通信インターフェース２１０２において受信され得る。クライアント端末２１０６はそれの第１の通信インターフェース２１１６を停止しているので、アクセスポイント２１００は、それの第１の通信インターフェース２１０２を介したデータの送信より前にインジケータ２１１２を送る必要があるということを知る。（たとえば、クライアント端末のアクティブ通信セッションのための）クライアント端末２１０６のデータを受信すると、フェムトアクセスポイント２１００は、第２の通信インターフェース２１０３を介してインジケータ２１３０を送るかまたは転送し得る。クライアント端末２１０６は、プロキシフェムトアクセスポイント２１００から第２の通信インターフェース２１１８（たとえば、低電力インターフェース）を介してインジケータ２１３０を受信し得る。
【００９２】
一例では、第１の通信インターフェース２１０２は、制御信号をバッファするシグナリングプロトコルレイヤ２１１３を実装し得る。クライアント端末２１０６のデータを受信されると、インジケータ２１１２が第２の通信インターフェース２１０３に送られ得、第２の通信インターフェース２１０３は、第１の通信インターフェース２１０２を介してクライアント端末にインジケータ２１３０を転送し得る。インジケータ２１３０を受信すると、クライアント端末２１０６は、それの第１の通信インターフェース２１１６を低電力状態（たとえば、アイドルまたはオフ状態）から高電力状態（たとえば、アクティブ状態）に切り替え得、第２の通信インターフェース２１０３に確認メッセージ２１２６を送り返す。フェムトアクセスポイント２１００の第２の通信インターフェース２１０３は、次いで、確認メッセージ２１１４を第１の通信インターフェース２１０２に転送し得る。確認メッセージ２１１４を受信すると、第１の通信インターフェース２１０２は、データをクライアント端末２１０６に送る／ブロードキャストし得る。クライアント端末２１０６は、それの第１の通信インターフェース２１１６を介してデータを受信し、フェムトアクセスポイント２１００に肯定応答を送り得る。その後、クライアント端末２１０６は、それの第１の通信インターフェース２１２８を介してアクセスポイント２１００からデータを受信し続け得る。
【００９３】
例示的なフェムトアクセスポイント（ＵＭＴＳ）  −  図２２は、クライアント端末のためのプロキシとして動作し、それにより、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）を使用してクライアント端末における電力節約を可能にするためのプロキシデバイス機能を組み込むフェムトアクセスポイント２２００の例のブロック図である。フェムトアクセスポイント２２００は、基地局の機能を組み込み得るが、より単純な自蔵式配備を可能にするために基地局を拡張する。一例は、バックホール通信のためのイーサネット（登録商標）をもつノードＢおよび／または無線ネットワークコントローラ（ＲＮＣ：Radio Network Controller）を含んでいるＵＭＴＳフェムトセルである。いくつかの例は広帯域符号分割多元接続（ＷＣＤＭＡ）実装に焦点を当てることがあるが、本明細書で説明する概念および特徴は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、（１ｘＲＴＴとしても知られる）ＣＤＭＡ２０００、時分割同期符号分割多元接続（ＴＤ−ＳＣＤＭＡ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）および３ＧＰＰ  Ｌｏｎｇ  Ｔｅｒｍ  Ｅｖｏｌｕｔｉｏｎ（ＬＴＥ）を含む、すべての通信規格に適用され得る。
【００９４】
フェムトアクセスポイント２２００は、第２の通信インターフェース／回路２２０３に結合された第１の通信インターフェース／回路２２０２を含み得る。第１の通信インターフェース／回路２２０２は、ＵＭＴＳアーキテクチャに準拠し得、すなわち、物理レイヤ（ＰＨＹ）と、ＭＡＣレイヤと、データをバッファし得る無線リンク制御（ＲＬＣ：Radio Link Control）レイヤと、様々な動作モードを定義する（シグナリング経路によって使用される）無線リソース制御（ＲＲＣ）／（データパスによって使用される）パケットデータ収束プロトコル（ＰＤＣＰ：Packet Data Convergence Protocol）と、インターネットプロトコル（ＩＰ）レイヤとを有するプロトコルスタックを含む。フェムトアクセスポイント２２００の第１の通信インターフェース２２０２は、サービスプロバイダネットワーク２２０１に／から通信を送信／受信するように構成され得る。
【００９５】
第２の通信インターフェース２２０３は、フェムトアクセスポイント２２００がクライアント端末２２０６と通信することを可能にする、Ｂｌｕｅｔｏｏｔｈホストなどのホスト回路２２０４を含み得る。第１の通信インターフェース２２０２と第２の通信インターフェース２２０３との間でデータおよびタスクシグナリングを交換するためにネイティブオペレーティングシステム（ＯＳ）プロセス間通信（ＩＰＣ）２２１０が使用され得る。ホスト回路２２０４は、Ｂｌｕｅｔｏｏｔｈシリアルポートプロファイル（ＳＰＰ）アプリケーション（ＡＰＰ）２２０８などの低電力インターフェースを含み得る。
【００９６】
クライアント端末２２０６は、物理レイヤ（ＰＨＹ）と、ＭＡＣレイヤと、無線リンク制御（ＲＬＣ）プロトコルと、無線リソース制御（ＲＲＣ）−パケットデータ収束プロトコル（ＰＤＣＰ）と、Ｎｏｎ  Ａｃｃｅｓｓ  Ｓｔｒａｔｕｍ（ＮＡＳ）とを有するプロトコルスタック２２１６を含む第１の通信インターフェース２２１６を含み得る。クライアント端末２２０６はまた、Ｂｌｕｅｔｏｏｔｈシリアルポートプロファイル（ＳＰＰ）アプリケーション（ＡＰＰ）など、低電力インターフェースを含む第２の通信インターフェース２２１８を含み得る。低電力インターフェースはＢｌｕｅｔｏｏｔｈ（ＢＴ）ホストコントローラ２２２０によって制御され得る。
【００９７】
クライアント端末２２０６が電力を節約することを望むとき、第２の通信インターフェース２２１８は（たとえば、ホストコントローラ２２２０を介して）、それの（１つまたは複数の）データチャネルおよびクライアントＩＤを送ることによってそれのプロキシとして動作するようにとのプロキシ要求２２０７を、（たとえば、ホストコントローラ２２２２を介して）フェムトアクセスポイント２２００の第２の通信インターフェース２２２２に送り得る。図２１を参照しながら上記で説明したように、クライアントＩＤを使用して、フェムトアクセスポイント２２００は、次いで、それのプロキシリストにクライアント端末のクライアントＩＤを追加し、クライアント端末２２０６に肯定応答を送り得る。肯定応答を受信した後に、クライアント端末２２０６は、それの第１の通信インターフェース２２１６を接続モードからプロキシモードに切り替え得る。その後、フェムトアクセスポイント２２００から送信されるデータが入手可能であるとき、クライアント端末２２０６は、それの第２の通信インターフェース２２１８（たとえば、低電力インターフェース）を使用してフェムトアクセスポイント２２０４からインジケータ２２３０を受信し得る。
【００９８】
一例では、フェムトアクセスポイント２２００は、ページ、制御信号またはデータをバッファする第１の通信インターフェース２２０２において（たとえば、ＲＬＣレイヤに対して）、クライアント端末２２０６に宛てられたデータを受信し得る。データを受信すると、第１の通信インターフェース２２０２は（たとえば、ＲＬＣレイヤから）、第２の通信インターフェース２２０３にインジケータ２２１２を送り得、第２の通信インターフェース２２０３は、（第２の通信インターフェース２２１８を介して）インジケータ２２３０をクライアント端末２２０６に送信／転送し得る。インジケータ２２３０はデータ再開インジケータを組み込み得る。インジケータ２２３０を受信すると、クライアント端末２２０６は、それの第１の通信インターフェース２２１６（たとえば、ワイヤレスワイドエリアネットワーク）を電力節約モードから接続モードに切り替え得、フェムトアクセスポイント２２００の第２の通信インターフェース２２０３に確認メッセージ２２２６を送り返す。第２の通信インターフェース２２０３は、次いで、確認メッセージ２２１４を第１の通信インターフェース２２０２に転送し得る。確認メッセージ２２１４を受信すると、第１の通信インターフェース２２０２は、第１の通信インターフェース２２０２を介してクライアント端末２２０６にデータを送信／ブロードキャストし得る。クライアント端末２２０６は、それの第１の通信インターフェース２２１６を通してデータを受信し、フェムトアクセスポイント２２００に肯定応答を送り得る。その後、クライアント端末２２０６は、ネットワークリンク２２２８を介してアクセスポイント２２００からデータを受信することを開始／継続し得る。
【００９９】
（図２３Ａと図２３Ｂとを備える）図２３は、プロキシ機能をもつフェムトアクセスポイントがデータ再開インジケータを使用することによってクライアント端末における電力節約を可能にするワイヤレス通信システムの動作を示す流れ図である。この例では、説明のために図１のクライアント端末１０２とネットワーク１０８とを使用する。フェムトアクセスポイント２３０２は、第１の通信インターフェース２３０６と、第２の通信インターフェース２３０８とを含み得る。第１の通信インターフェース２３０６は、シグナリングプロトコルレイヤ２３０４を含み得るプロトコルスタックを実装し得る。
【０１００】
クライアント端末１０２における電力節約を可能にするために、フェムトアクセスポイント２３０２とクライアント端末１０２とは、フェムトアクセスポイント２３０２がクライアント端末１０２のためのプロキシとして働くことに同意する、プロキシ登録プロセス２３１０を実行し得る。登録プロセス２３１０は、クライアント端末１０２がフェムトセルアクセスポイント２３０２にクライアント識別子（ＩＤ）および／またはデータチャネル情報を送ることを含み得る。フェムトアクセスポイント２３０２は、フェムトアクセスポイント２３０２がそのためのプロキシとして働いているクライアント端末のクライアント識別子とデータチャネルとのクライアントプロキシリストを維持し得る。すなわち、クライアント端末１０２はフェムトアクセスポイント２３０２に登録し得る。
【０１０１】
クライアント端末１０２が電力を節約することを望むとき、クライアント端末１０２は、それの（１つまたは複数の）データチャネルおよびクライアントＩＤを送ることによってそれのプロキシとして動作するようにフェムトアクセスポイント２３０２に要求するプロキシ要求２３１２を第２の通信インターフェース２３０８に送り得る。クライアントＩＤを使用して、フェムトアクセスポイント２３０２は、次いで、２３１４において、第１の通信インターフェースの上位レイヤに記憶されたクライアントリストにクライアント端末１０２の識別子を追加することによってそれのクライアントリストを更新し得る。第１の通信インターフェース２３０６は、次いで、更新されたクライアントリスト２３１６の受信に肯定応答するかまたはそれを確認するために、第２の通信インターフェース２３０８に確認メッセージ２３１６を送り得る。第１の通信インターフェース２３０６から確認メッセージ２３１６を受信すると、第２の通信インターフェース２３０８は、次いで、クライアント端末１０２にプロキシ肯定応答２３１８を送り得る。プロキシ肯定応答２３１８を受信した後に、クライアント端末１０２は、２３２０において、それの第１の通信インターフェース（たとえば、ワイヤレスワイドエリアネットワーク（ＷＷＡＮ）インターフェース）を電力節約／非アクティブモードに切り替え得る。
【０１０２】
その後、フェムトアクセスポイントは、２３２２において、ネットワーク１０８から、クライアント端末１０２に宛てられた（たとえば、クライアント端末との確立された通信セッションのための）データを受信し得る。データを受信すると、第１の通信インターフェース２３０６は、第２の通信インターフェース２３０８にインジケータ２３２４を送り得る。インジケータ２３２４は、クライアント端末１０２に宛てられたデータ再開インジケータを含み得る。第２の通信インターフェース２３０８は、次いで、インジケータ２３２４がプロキシクライアントリスト中のクライアント端末に宛てられているかどうかを確かめ得る。インジケータ２３２４がプロキシクライアントリスト上のクライアント端末に宛てられている場合、第２の通信インターフェース２３０８は、指定されたクライアント端末１０２にデータ再開インジケータ２３２６を送り得る。クライアント端末１０２は、それ自体の第２の通信インターフェースを介してデータ再開インジケータ２３２６を受信し得る。データ再開インジケータ（ＤＲＩ）２３２６を受信すると、クライアント端末１０２は、２３２８において、それの第１の通信インターフェースを接続モードにアクティブにすべきか、すなわち、それのＷＷＡＮインターフェースを接続モードにアクティブにすべきかどうかを判断し得る。
【０１０３】
次に、ＤＲＩ肯定応答２３３０の通知への応答が、クライアント端末１０２によってフェムトアクセスポイント２３０２中の第２の通信インターフェース２３０８に送られ得る。第２の通信インターフェース２３０８は、次いで、インジケータ応答２３３２を第１の通信インターフェース２３０６に送り得、第１の通信インターフェース２３０６は、今度は、応答２３３４をシグナリングプロトコルレイヤ２３０４に送る。応答２３３４を受信すると（および、場合によってはデータ再開インジケータ２３２６において識別された時間オフセットの後に）、シグナリングプロトコルレイヤ２３０４は、次いで、第１の通信インターフェース２３０６（たとえば、ＷＷＡＮインターフェース）を介してデータ２３３６をクライアント端末１０２に送信し得る。クライアント端末１０２によってデータ送信の受信の肯定応答２３３８がシグナリングプロトコルレイヤ２３０４に送られ得、シグナリングプロトコルレイヤ２３０４は、今度は、肯定応答２３４０を第１の通信インターフェース２３０６に転送し得る。
【０１０４】
図１、図２、図３、図４、図５、図６、図７、図８、図９、図１０、図１１、図１２、図１３、図１４、図１５、図１６、図１７、図２８、図１９、図２０、図２１、図２２、および／または図２３に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本発明から逸脱することなく追加の要素、構成要素、ステップ、および／または機能が追加され得る。図１、図１３、図１５、図１７、図１８、図２１および／または図２２に示した装置、デバイス、および／または構成要素は、図２〜図１２、図１４、図１６、図１９〜図２０、および／または図２３で説明した方法、特徴、またはステップのうちの１つまたは複数を実行するように構成され得る。本明細書で説明した新規のアルゴリズムはまた、効率的にソフトウェアで実装されおよび／またはハードウェアに組み込まれ得る。
【０１０５】
また、実施形態は、フローチャート、流れ図、構造図、またはブロック図として示されるプロセスとして説明されることがあることに留意されたい。フローチャートは動作を逐次プロセスとして説明することがあるが、動作の多くは並行してまたは同時に実行できる。さらに、動作の順序は並べ替えられ得る。プロセスは、その動作が完了すると終了する。プロセスは、メソッド、関数、プロシージャ、サブルーチン、サブプログラムなどに対応し得る。プロセスが関数に対応する場合、それの終了は呼出し関数またはメイン関数への関数の復帰に対応する。
【０１０６】
さらに、記憶媒体は、読取り専用メモリ（ＲＯＭ）、ランダムアクセスメモリ（ＲＡＭ）、磁気ディスク記憶媒体、光記憶媒体、フラッシュメモリデバイスならびに／または、情報を記憶するための他の機械可読媒体、プロセッサ可読媒体、および／もしくはコンピュータ可読媒体を含む、データを記憶するための１つまたは複数のデバイスを表し得る。「機械可読媒体」、「コンピュータ可読媒体」、および／または「プロセッサ可読媒体」という用語は、限定はしないが、ポータブルまたは固定記憶デバイス、光記憶デバイス、ならびに（１つまたは複数の）命令および／またはデータを記憶、含有または担持することが可能な様々な他の媒体などの非一時的媒体を含み得る。したがって、本明細書で説明した様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって完全にまたは部分的に実装され得る。
【０１０７】
さらに、実施形態は、ハードウェア、ソフトウェア、ファームウェア、ミドルウェア、マイクロコード、またはこれらの任意の組合せによって実装され得る。ソフトウェア、ファームウェア、ミドルウェアまたはマイクロコードで実装される場合、必要なタスクを実行するためのプログラムコードまたはコードセグメントは、記憶媒体または（１つまたは複数の）他の記憶装置などの機械可読媒体に記憶され得る。プロセッサは、必要なタスクを実行することができる。コードセグメントは、プロシージャ、関数、サブプログラム、プログラム、ルーチン、サブルーチン、モジュール、ソフトウェアパッケージ、クラス、または、命令、データ構造、もしくはプログラムステートメントの任意の組合せを表し得る。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む任意の適切な手段を介して、パス、転送、または送信され得る。
【０１０８】
本明細書に開示される例に関連して説明される、様々な例示的な論理ブロック、モジュール、回路、要素、および／またはコンポーネントは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブルロジックコンポーネント、個別ゲート回路もしくはトランジスタ論理回路、個別ハードウェアコンポーネント、または、本明細書で説明する機能を実行するように設計されたそれらの任意の組合せを用いて、実装または実行され得る。汎用プロセッサはマイクロプロセッサであってよいが、代替として、プロセッサは、任意の従来のプロセッサ、コントローラ、マイクロコントローラ、または状態機械であってよい。プロセッサはまた、コンピューティングコンポーネントの組合せ、たとえば、ＤＳＰとマイクロプロセッサの組合せ、複数のマイクロプロセッサ、ＤＳＰコアと連携する１つまたは複数のマイクロプロセッサ、または任意の他のそのような構成として実装され得る。
【０１０９】
本明細書に開示される例に関連して説明される方法またはアルゴリズムは、ハードウェア、プロセッサによって実行可能なソフトウェアモジュール、または両方の組合せで、処理ユニット、プログラム命令、または他の指令の形で直接具現化されてよく、かつ、単一のデバイスに含まれ、または複数のデバイスにわたって分散されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。記憶媒体は、プロセッサがその記憶媒体から情報を読み取り、その記憶媒体に情報を書き込むことができるように、プロセッサに結合され得る。代替として、記憶媒体はプロセッサに一体化され得る。
【０１１０】
さらに、本明細書で開示する実施形態に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。
【０１１１】
本明細書で説明した本発明の様々な特徴は、本発明から逸脱することなく様々なシステムで実装され得る。上記の実施形態は例にすぎず、本発明を限定するものと解釈すべきではないことに留意されたい。実施形態の説明は、例示的なものであり、特許請求の範囲を限定するものではない。したがって、本教示は、他のタイプの装置、ならびに多くの代替形態、修正形態、および変更形態に容易に適用できることが当業者には明らかであろう。
【図１】
2013544470.tif 000003
【図２】
2013544470.tif 000004
【図３】
2013544470.tif 000005
【図４】
2013544470.tif 000006
【図５】
2013544470.tif 000007
【図６】
2013544470.tif 000008
【図７】
2013544470.tif 000009
【図８】
2013544470.tif 000010
【図９】
2013544470.tif 000011
【図１０】
2013544470.tif 000012
【図１１】
2013544470.tif 000013
【図１２】
2013544470.tif 000014
【図１３】
2013544470.tif 000015
【図１４】
2013544470.tif 000016
【図１５】
2013544470.tif 000017
【図１６】
2013544470.tif 000018
【図１７】
2013544470.tif 000019
【図１８】
2013544470.tif 000020
【図１９】
2013544470.tif 000021
【図２０】
2013544470.tif 000022
【図２１】
2013544470.tif 000023
【図２２】
2013544470.tif 000024
【図２３Ａ】
2013544470.tif 000025
【図２３Ｂ】
2013544470.tif 000026
【国際調査報告】
2013544470.tif 000027
2013544470.tif 000028
2013544470.tif 000029
2013544470.tif 000030
2013544470.tif 000031